(57)【特許請求の範囲】
【請求項１】
ワイヤレスデバイスにおける通信の方法であって、
アップリンクキャリアのデータチャネルを識別することと、ここにおいて、前記データチャネルは複数のレイヤを有する、
前記データチャネル上で送るべき１つまたは複数のダウンリンクキャリアについての制御情報を判断することと、ここにおいて、前記制御情報は、第１のタイプの制御情報および第２のタイプの制御情報を備え、第２のタイプの前記制御情報は、第１のタイプの前記制御情報とは異なる、
前記制御情報を符号化することと、
前記第１のタイプの前記制御情報を、前記複数のレイヤのうちの第１の数のレイヤにマッピングすることと、
前記第２のタイプの前記制御情報を、前記複数のレイヤのうちの第２の数のレイヤにマッピングすることと、ここにおいて、前記第２の数のレイヤは、前記第１の数のレイヤとは異なる、
前記マッピングにしたがって前記データチャネル上で前記符号化された制御情報を送ることと
を備える、方法。
【請求項２】
前記第１のタイプの前記制御情報を前記第１の数のレイヤにマッピングすることが、前記第１のタイプの前記制御情報を前記複数のレイヤのうちの１つのレイヤにマッピングすることを備える、請求項１に記載の方法。
【請求項３】
前記第２のタイプの前記制御情報を前記第２の数のレイヤにマッピングすることが、前記第２のタイプの前記制御情報を前記複数のレイヤの各々にマッピングすることを備える、請求項１に記載の方法。
【請求項４】
前記第１のタイプの前記制御情報が、チャネル品質インジケータ、プリコーディング行列インジケータ、またはこれらの組み合わせを備え、前記第２のタイプの前記制御情報が、ランクインジケータ、肯定応答／否定応答、またはこれらの組み合わせを備える、請求項１に記載の方法。
【請求項５】
前記制御情報をパケットと多重化することをさらに備え、ここにおいて、前記パケットの異なる部分が前記複数のレイヤの各々において送られる、請求項１に記載の方法。
【請求項６】
前記制御情報を前記複数のレイヤの間で分割することをさらに備える、請求項５に記載の方法。
【請求項７】
前記制御情報を複数のパケットと多重化することをさらに備え、ここにおいて、前記複数のパケットのうちの１つパケットが前記複数のレイヤの各々において送られる、請求項１に記載の方法。
【請求項８】
前記制御情報を前記複数のパケットの間で分割することをさらに備える、請求項７に記載の方法。
【請求項９】
前記制御情報を符号化することは、前記制御情報を前記複数のレイヤのうちの１つまたは複数にマッピングするより前に、前記１つまたは複数のダウンリンクキャリアについてのジョイントコーディングされた制御情報を取得するために、前記制御情報をジョイント符号化することを備える、請求項１に記載の方法。
【請求項１０】
ワイヤレスデバイスにおけるワイヤレス通信のための装置であって、
アップリンクキャリアのデータチャネルを識別するための手段と、ここにおいて、前記データチャネルは複数のレイヤを有する、
前記データチャネル上で送るべき１つまたは複数のダウンリンクキャリアについての制御情報を判断するための手段と、ここにおいて、前記制御情報は、第１のタイプの制御情報および第２のタイプの制御情報を備え、第２のタイプの前記制御情報は、第１のタイプの前記制御情報とは異なる、
前記制御情報を符号化することと、
前記第１のタイプの前記制御情報を、前記複数のレイヤのうちの第１の数のレイヤにマッピングすることと、
前記第２のタイプの前記制御情報を、前記複数のレイヤのうちの第２の数のレイヤにマッピングすることと、ここにおいて、前記第２の数のレイヤは、前記第１の数のレイヤとは異なる、
前記マッピングにしたがって前記データチャネル上で前記符号化された制御情報を送るための手段と
を備える、装置。
【請求項１１】
前記第１のタイプの前記制御情報を前記第１の数のレイヤにマッピングするための手段が、
前記第１のタイプの前記制御情報を前記複数のレイヤのうちの１つのレイヤにマッピングするための手段を備える、請求項１０に記載の装置。
【請求項１２】
前記第２のタイプの前記制御情報を前記第２の数のレイヤにマッピングするための手段が、
前記第２のタイプの前記制御情報を前記複数のレイヤの各々にマッピングするための手段を備える、請求項１０に記載の装置。
【請求項１３】
前記第１のタイプの前記制御情報が、チャネル品質インジケータ、プリコーディング行列インジケータ、またはこれらの組み合わせを備え、前記第２のタイプの前記制御情報が、ランクインジケータ、肯定応答／否定応答、またはこれらの組み合わせを備える、請求項１０に記載の装置。
【請求項１４】
前記制御情報をパケットと多重化するための手段をさらに備え、ここにおいて、前記パケットの異なる部分が前記複数のレイヤの各々において送られる、請求項１０に記載の装置。
【請求項１５】
前記制御情報を前記複数のレイヤの間で分割するための手段をさらに備える、請求項１４に記載の装置。
【請求項１６】
前記制御情報を複数のパケットと多重化するための手段をさらに備え、ここにおいて、前記複数のパケットのうちの１つのパケットが前記複数のレイヤの各々において送られる、請求項１０に記載の装置。
【請求項１７】
前記制御情報を前記複数のパケットの間で分割するための手段をさらに備える、請求項１６に記載の装置。
【請求項１８】
前記制御情報を符号化することは、前記制御情報を前記複数のレイヤのうちの１つまたは複数にマッピングするより前に、前記１つまたは複数のダウンリンクキャリアについてのジョイントコーディングされた制御情報を取得するために、前記制御情報をジョイント符号化するための手段を備える、請求項１０に記載の装置。
【請求項１９】
ワイヤレス通信のための装置であって、
アップリンクキャリアのデータチャネルを識別し、ここにおいて、前記データチャネルは複数のレイヤを有する、
前記データチャネル上で送るべき１つまたは複数のダウンリンクキャリアについての制御情報を判断し、ここにおいて、前記制御情報は、第１のタイプの制御情報および第２のタイプの制御情報を備え、第２のタイプの前記制御情報は、第１のタイプの前記制御情報とは異なる、
前記制御情報を符号化し、
前記第１のタイプの前記制御情報を、前記複数のレイヤのうちの第１の数のレイヤにマッピングし、
前記第２のタイプの前記制御情報を、前記複数のレイヤのうちの第２の数のレイヤにマッピングし、ここにおいて、前記第２の数のレイヤは、前記第１の数のレイヤとは異なる、
前記マッピングにしたがって前記データチャネル上で前記符号化された制御情報を送る
ように構成された少なくとも１つのプロセッサを備える、装置。
【請求項２０】
前記少なくとも１つのプロセッサが、
前記第１のタイプの前記制御情報を前記複数のレイヤのうちの１つのレイヤにマッピングするように構成される、請求項１９に記載の装置。
【請求項２１】
前記少なくとも１つのプロセッサが、
前記第２のタイプの前記制御情報を前記複数のレイヤの各々にマッピングするように構成される、請求項１９に記載の装置。
【請求項２２】
前記第１のタイプの前記制御情報が、チャネル品質インジケータ、プリコーディング行列インジケータ、またはこれらの組み合わせを備え、前記第２のタイプの前記制御情報が、ランクインジケータ、肯定応答／否定応答、またはこれらの組み合わせを備える、請求項１９に記載の装置。
【請求項２３】
前記少なくとも１つのプロセッサが、
前記制御情報をパケットと多重化するように構成され、ここにおいて、前記パケットの異なる部分が前記複数のレイヤの各々において送られる、請求項１９に記載の装置。
【請求項２４】
前記少なくとも１つのプロセッサが、
前記制御情報を前記複数のレイヤの間で分割するように構成される、請求項２３に記載の装置。
【請求項２５】
前記少なくとも１つのプロセッサが、
前記制御情報を複数のパケットと多重化するように構成され、ここにおいて、前記複数のパケットのうちの１つパケットが前記複数のレイヤの各々において送られる、請求項１９に記載の装置。
【請求項２６】
前記少なくとも１つのプロセッサが、
前記制御情報を前記複数のパケットの間で分割するように構成される、請求項２５に記載の装置。
【請求項２７】
前記少なくとも１つのプロセッサが、
前記制御情報を前記複数のレイヤのうちの１つまたは複数にマッピングするより前に、前記１つまたは複数のダウンリンクキャリアについてのジョイントコーディングされた制御情報を取得するために、前記制御情報をジョイント符号化するように構成される、請求項１９に記載の装置。
【請求項２８】
通信のためのコードを記憶した非一時的なコンピュータ可読記憶媒体であって、
前記コードが、
アップリンクキャリアのデータチャネルを識別し、ここにおいて、前記データチャネルは複数のレイヤを有する、
前記データチャネル上で送るべき１つまたは複数のダウンリンクキャリアについての制御情報を判断し、ここにおいて、前記制御情報は、第１のタイプの制御情報および第２のタイプの制御情報を備え、第２のタイプの前記制御情報は、第１のタイプの前記制御情報とは異なる、
前記制御情報を符号化し、
前記第１のタイプの前記制御情報を、前記複数のレイヤのうちの第１の数のレイヤにマッピングし、
前記第２のタイプの前記制御情報を、前記複数のレイヤのうちの第２の数のレイヤにマッピングし、ここにおいて、前記第２の数のレイヤは、前記第１の数のレイヤとは異なる、
前記マッピングにしたがって前記データチャネル上で前記符号化された制御情報を送るように実行可能な命令を備える、非一時的なコンピュータ可読記憶媒体。
【請求項２９】
前記コードが、
前記第１のタイプの前記制御情報を前記複数のレイヤのうちの１つのレイヤにマッピングするように実行可能な命令を備える、請求項２８に記載の非一時的なコンピュータ可読記憶媒体。
【請求項３０】
前記コードが、
前記第２のタイプの前記制御情報を前記複数のレイヤの各々にマッピングするように実行可能な命令を備える、請求項２８に記載の非一時的なコンピュータ可読記憶媒体。
【請求項３１】
前記第１のタイプの前記制御情報が、チャネル品質インジケータ、プリコーディング行列インジケータ、またはこれらの組み合わせを備え、前記第２のタイプの前記制御情報が、ランクインジケータ、肯定応答／否定応答、またはこれらの組み合わせを備える、請求項２８に記載の非一時的なコンピュータ可読記憶媒体。
【請求項３２】
前記コードが、
前記制御情報をパケットと多重化するように実行可能な命令を備え、ここにおいて、前記パケットの異なる部分が前記複数のレイヤの各々において送られる、請求項２８に記載の非一時的なコンピュータ可読記憶媒体。
【請求項３３】
前記コードが、
前記制御情報を前記複数のレイヤの間で分割するように実行可能な命令を備える、請求項３２に記載の非一時的なコンピュータ可読記憶媒体。
【請求項３４】
前記コードが、
前記制御情報を複数のパケットと多重化するように実行可能な命令を備え、ここにおいて、前記複数のパケットのうちの１つパケットが前記複数のレイヤの各々において送られる、請求項２８に記載の非一時的なコンピュータ可読記憶媒体。
【請求項３５】
前記コードが、
前記制御情報を前記複数のパケットの間で分割するように実行可能な命令を備える、請求項３４に記載の非一時的なコンピュータ可読記憶媒体。
【請求項３６】
前記コードが、
前記制御情報を前記複数のレイヤのうちの１つまたは複数にマッピングするより前に、前記１つまたは複数のダウンリンクキャリアについてのジョイントコーディングされた制御情報を取得するために、前記制御情報をジョイント符号化するように実行可能な命令を備える、請求項２８に記載の非一時的なコンピュータ可読記憶媒体。
【発明の詳細な説明】
【技術分野】
【０００１】
本出願は、本発明の譲受人に譲渡され、参照により本明細書に組み込まれる、２０１０年４月５日に出願された「MULTI-CARRIER CONTROL FEEDBACK」と題する米国仮出願第６１／３２１，０３８号の優先権を主張する。
【０００２】
[I．分野]
本開示は、一般に通信に関し、より詳細には、ワイヤレス通信ネットワークにおいて制御情報を送るための技法に関する。
【背景技術】
【０００３】
[II．背景]
ワイヤレス通信ネットワークは、ボイス、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ）の通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
ワイヤレス通信ネットワークは、複数のキャリア上の動作をサポートし得る。キャリアは、通信のために使用される周波数のレンジを指し得、いくつかの特性に関連付けられ得る。そのような特性は、たとえば、キャリア上の動作を記述するシステム情報中で搬送され得る。キャリアは、コンポーネントキャリア（ＣＣ）、周波数チャネル、セルなどと呼ばれることもある。基地局は、ダウンリンク用の複数のキャリア（またはダウンリンクキャリア）上でデータ送信をＵＥに送り得る。ＵＥは、アップリンク用のキャリア（またはアップリンクキャリア）上で、複数のダウンリンクキャリア上でのデータ送信をサポートするための制御情報を送り得る。
【発明の概要】
【０００６】
単一のアップリンクキャリア上で複数のダウンリンクキャリアに関係する制御情報を送るための技法について本明細書で説明する。ユーザ機器（ＵＥ）は、選択的に、同じサブフレーム中の送信のために、複数のダウンリンクキャリアについての制御情報とデータとを多重化することができる。制御情報は、様々なタイプの制御情報を含み得、多重化は、制御情報のタイプおよび／あるいはダウンリンクキャリアの順序、優先度、または関連付けに基づいて実行され得る。ＵＥは、サブフレーム中でアップリンクキャリア上のデータチャネル上で多重化された制御情報とデータとを送り得る。これにより、ＵＥはデータチャネルのシングルキャリア波形(single-carrier waveform)を維持することが可能になり得、その結果、ピーク対平均電力比（ＰＡＰＲ）が低くなり得る。
【０００７】
１つの設計では、ＵＥは、それがダウンリンクキャリアのセット上でのマルチキャリア動作のために構成されたと判断し得る。ＵＥは、アップリンクキャリア上でデータを送るべきサブフレームを判断し得る。ＵＥはまた、サブフレーム中で制御情報を送るべき複数のダウンリンクキャリアを判断し得る。ＵＥは、たとえば、ダウンリンクキャリアについての周期フィードバック報告構成（periodic feedback reporting configuration）および／またはダウンリンクキャリアについてのフィードバック要求に基づいて、サブフレーム中で送るべき複数のダウンリンクキャリアについての制御情報を判断し得る。各ダウンリンクキャリアについての制御情報は、チャネル品質インジケータ（ＣＱＩ;channel quality indicator）、プリコーディング行列インジケータ（ＰＭＩ:precoding matrix indicator）、ランクインジケータ（ＲＩ:rank indicator）、肯定応答／否定応答（ＡＣＫ／ＮＡＣＫ;acknowledgement/negative acknowledgement）、何らかの他の情報、またはそれらの組合せを備え得る。ＵＥは、複数のダウンリンクキャリアについての制御情報を、アップリンクキャリア上で送るべきデータと多重化することができる。ＵＥは、次いで、サブフレーム中でアップリンクキャリア上のデータチャネル上で多重化された制御情報とデータとを送り得る。
【０００８】
１つの設計では、ＵＥは、各ダウンリンクキャリアについての制御情報を別々に符号化し得る。別の設計では、ＵＥは、制御情報の各タイプについて、複数のダウンリンクキャリアにわたって制御情報をジョイント符号化(jointly encoding)し得る。さらに別の設計では、ＵＥは、１つのタイプの制御情報をジョイント符号化し、別のタイプの制御情報を別々に符号化し得る。
【０００９】
１つの設計では、ＵＥは、複数のダウンリンクキャリアについての制御情報をデータチャネルの単一のレイヤにマッピングし得る。別の設計では、ＵＥは、複数のダウンリンクキャリアについての制御情報をデータチャネルの複数のレイヤにマッピングし得る。ＵＥはまた、他の方法で複数のダウンリンクキャリアについての制御情報を符号化し、多重化し、および／またはマッピングし得る。
【００１０】
本開示の様々な態様および特徴について以下でさらに詳細に説明する。
【図面の簡単な説明】
【００１１】
【図１】ワイヤレス通信ネットワークを示す図。
【図２】ＵＥのマルチキャリア動作の一例を示す図。
【図３】１つのアップリンクキャリアの例示的な送信構造を示す図。
【図４】複数のダウンリンクキャリア上でデータを送信し、１つのアップリンクキャリア上で制御情報とデータとを送信するための方式を示す図。
【図５Ａ】時間整合周期ＣＱＩ報告（time-aligned periodic CQI reporting）の一例を示す図。
【図５Ｂ】スタッガード周期ＣＱＩ報告（staggered periodic CQI reporting）の一例を示す図。
【図５Ｃ】非周期ＣＱＩ報告（aperiodic CQI reporting）の一例を示す図。
【図６Ａ】個別のペイロードサイズを用いた制御情報のジョイントコーディングを示す図。
【図６Ｂ】共通のペイロードサイズを用いた制御情報のジョイントコーディングを示す図。
【図７Ａ】データチャネルの１つのレイヤへの、複数のダウンリンクキャリアについての制御情報とデータとの例示的なマッピングを示す図。
【図７Ｂ】データチャネルの１つのレイヤへの、複数のダウンリンクキャリアについての制御情報とデータとの例示的なマッピングを示す図。
【図８Ａ】データチャネルの２つのレイヤへの、複数のダウンリンクキャリアについての制御情報とデータとの例示的なマッピングを示す図。
【図８Ｂ】データチャネルの２つのレイヤへの、複数のダウンリンクキャリアについての制御情報とデータとの例示的なマッピングを示す図。
【図９】１つのアップリンクキャリア上のデータチャネル上で複数のダウンリンクキャリアについての制御情報とデータとを送るためのプロセスを示す図。
【図１０】１つのアップリンクキャリア上のデータチャネル上で送られた複数のダウンリンクキャリアについての制御情報とデータとを受信するためのプロセスを示す図。
【図１１】基地局およびＵＥのブロック図。
【図１２】基地局およびＵＥの別のブロック図。
【発明を実施するための形態】
【００１２】
[詳細な説明]
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ  ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の団体からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の団体からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００１３】
図１に、ＬＴＥネットワークまたは何らかの他のワイヤレスネットワークであり得る、ワイヤレス通信ネットワーク１００を示す。ワイヤレスネットワーク１００は、いくつかの発展型ノードＢ（ｅＮＢ）１１０と他のネットワークエンティティとを含み得る。ｅＮＢは、ＵＥと通信するエンティティであり得、基地局、ノードＢ、アクセスポイントなどとも呼ばれることがある。各ｅＮＢ１１０は、特定の地理的エリアに対して通信カバレージを提供し得、カバレージエリア内に位置するＵＥのための通信をサポートし得る。ネットワーク容量を改善するために、ｅＮＢの全体的なカバレージエリアは複数（たとえば、３つ）のより小さいエリアに区分され得る。より小さいエリアの各々は、それぞれのｅＮＢサブシステムによってサービスされ得る。３ＧＰＰでは、「セル」という用語は、このカバレージエリアにサービスするｅＮＢおよび／またはｅＮＢサブシステムのカバレージエリアを指すことがある。概して、ｅＮＢは、１つまたは複数の（たとえば、３つの）セルをサポートし得る。「セル」という用語はまた、ｅＮＢが動作するキャリアを指すことがある。
【００１４】
ＵＥはワイヤレスネットワーク全体に分散され得、各ＵＥは固定または移動であり得る。ＵＥは、移動局、端末、アクセス端末、加入者ユニット、局などと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブック、タブレットなどであり得る。
【００１５】
ワイヤレスネットワーク１００は、ダウンリンク上の複数のキャリアと、アップリンク上の１つまたは複数のキャリアとを用いたマルチキャリア動作をサポートし得る。ダウンリンクのために使用されるキャリアはダウンリンク（ＤＬ）キャリアと呼ばれることがあり、アップリンクのために使用されるキャリアはアップリンク（ＵＬ）キャリアと呼ばれることがある。ｅＮＢは、１つまたは複数のダウンリンクキャリア上でデータと制御情報とをＵＥに送信し得る。ＵＥは、１つまたは複数のアップリンクキャリア上でデータと制御情報とをｅＮＢに送信し得る。
【００１６】
図２に、ＵＥのマルチキャリア動作の一例を示す。この例では、ＵＥは、５つのダウンリンクキャリア１〜５、および３つのアップリンクキャリア１〜３で構成され得る。１つの設計では、ＵＥが、指定されたアップリンクキャリア上でダウンリンクキャリアに関連付けられた制御情報をｅＮＢに送るように、各ダウンリンクキャリアは、指定されたアップリンクキャリアに関連付けられ得る。複数のダウンリンクキャリアは、単一のアップリンクキャリアに関連付けられ得る。一例では、ｅＮＢは、システム情報ブロック（ＳＩＢ）中で関連付けまたはリンケージをＵＥにシグナリングし得る。代替または追加として、ｅＮＢは、１つまたは複数の上位レイヤメッセージ中で関連付けをＵＥに搬送し得る。関連付けは、静的であり得るか、または経時的に変化し得る。
【００１７】
図２に示す例では、時間Ｔ１において、アップリンクキャリア１および２がアクティブであり、アップリンクキャリア３が非アクティブである。アップリンクキャリア１は、ダウンリンクキャリア１、２および３に関連付けられ、それらについての制御情報を搬送する。アップリンクキャリア２は、ダウンリンクキャリア４および５に関連付けられ、それらについての制御情報を搬送する。時間Ｔ２において、アップリンクキャリア１および３がアクティブであり、アップリンクキャリア２が非アクティブである。アップリンクキャリア１は、ダウンリンクキャリア１、２および３に関連付けられ、それらについての制御情報を搬送する。アップリンクキャリア３は、ダウンリンクキャリア４および５に関連付けられ、それらについての制御情報を搬送する。時間Ｔ３において、アップリンクキャリア２のみがアクティブであり、アップリンクキャリア１および３が非アクティブである。アップリンクキャリア２は、５つのダウンリンクキャリア１〜５すべてに関連付けられ、それらのすべてについての制御情報を搬送する。概して、ＵＥは、任意の数のダウンリンクキャリアと任意の数のアップリンクキャリアとで構成され得る。ダウンリンクキャリアは、様々な方法でアップリンクキャリアにマッピングされ得る。ダウンリンクキャリアとアップリンクキャリアとの間のマッピングは半静的または動的であり得る。
【００１８】
ＬＴＥは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、キャリアの周波数レンジを、一般にトーン、ビンなどとも呼ばれる複数（ＮFFT個）の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（ＮFFT）はキャリア帯域幅に依存し得る。たとえば、ＮFFTは、それぞれ１．２５、２．５、５、１０または２０ＭＨｚのキャリア帯域幅に対して１２８、２５６、５１２、１０２４または２０４８に等しいことがある。
【００１９】
ダウンリンクおよびアップリンクの各々の送信タイムラインはサブフレームの単位に区分され得る。各サブフレームは、所定の継続時間、たとえば、１ミリ秒（ｍｓ）を有し得、２つのスロットに区分され得る。各スロットは、拡張された巡回プレフィックスに対して６つのシンボル期間を含むか、または通常の巡回プレフィックスに対して７つのシンボル期間を含む。
【００２０】
各キャリアに利用可能な時間周波数リソースはリソースブロックに区分され得る。各スロット中の各キャリアのリソースブロックの数は、キャリア帯域幅に依存し得、６から１１０まで変動し得る。各リソースブロックは、１個のスロット中の１２個のサブキャリアをカバーし得、いくつかのリソース要素を含み得る。各リソース要素は、１個のシンボル期間中の１個のサブキャリアをカバーし得、実数値または複素数値であり得る１個の変調シンボルを送信するために使用され得る。
【００２１】
図３に、ＬＴＥにおけるアップリンクキャリアの２つのサブフレームをもつ例示的な送信構造を示す。アップリンク上で、利用可能なリソースブロックは、データセクションと制御セクションとに区分され得る。制御セクションは、（図３に示すように）キャリア帯域幅の２つのエッジにおいて形成され得、構成可能なサイズを有し得る。データセクションは、制御セクション中に含まれないすべてのリソースブロックを含み得る。物理アップリンク制御チャネル（ＰＵＣＣＨ）上で制御情報を送るために、ＵＥには、１つのサブフレームの２つのスロット中の制御領域中で２つのリソースブロック３１０ａおよび３１０ｂ（または場合によっては３つ以上のリソースブロック）が割り当てられ得る。その２つのリソースブロックは、図３に示すように、周波数ホッピングが使用可能であるとき、サブキャリアの異なるセットを占有し得る。物理アップリンク共有チャネル（ＰＵＳＣＨ）上でデータのみまたはデータと制御情報の両方を送るために、ＵＥには、１つのサブフレームの２つのスロット中のデータ領域中で２つのリソースブロック３２０ａおよび３２０ｂ（または場合によっては３つ以上のリソースブロック）が割り当てられ得る。
【００２２】
ワイヤレスネットワーク１００は、信頼性を改善するために、ハイブリッド自動再送信（ＨＡＲＱ）を用いたデータの送信をサポートし得る。ＨＡＲＱの場合、送信機は、データのパケットの初期送信を送り、必要に応じて、パケットが受信機によって正しく復号されるか、またはパケットの最大回数の送信が行われるか、または何らかの他の終了条件に遭遇するまで、パケットの１回または複数回の追加の送信を送り得る。パケットの各送信後に、受信機は、パケットを回復しようと試みるために、パケットのすべての受信された送信を復号し得、パケットが正しく復号された場合にＡＣＫを送り得るか、またはパケットが間違って復号された場合にＮＡＣＫを送り得る。送信機は、ＮＡＣＫが受信された場合にパケットの別の送信を送り得、ＡＣＫが受信された場合にパケットの送信を終了し得る。送信機は、パケットのターゲット回数の送信の後にパケットが高い確率で正しく復号され得るように選択され得る変調およびコーディング方式（ＭＣＳ）に基づいてパケットを処理（たとえば、符号化および変調）し得る。送信のこのターゲット回数はターゲット終端と呼ばれることがある。パケットは、トランスポートブロック、コードワード(codeword)、データブロックなどと呼ばれることもある。１つまたは複数のパケットの送信はデータ送信と呼ばれることがある。
【００２３】
図４に、ＨＡＲＱを用いて複数（Ｍ個）のダウンリンクキャリア上でデータを送信し、１つのアップリンクキャリア上で制御情報とデータとを送信するための方式を示す。ＵＥは、ｅＮＢのための異なるダウンリンクキャリアのチャネル品質を周期的に推定し得、各ダウンリンクキャリアについてのＣＱＩ、ＰＭＩ、および／またはＲＩを判断し得る。ダウンリンクキャリアについてのＲＩは、ダウンリンクキャリア上のデータの送信のために使用すべきレイヤの数（すなわち、Ｌ個のレイヤ、ただしＬ≧１）を示し得る。各レイヤは空間チャネルと見なされ得る。ダウンリンクキャリアについてのＰＭＩは、ダウンリンクキャリア上の送信より前にデータをプリコードするために使用すべきプリコーディング行列またはベクトルを示し得る。ダウンリンクキャリアについてのＣＱＩは、ダウンリンクキャリア上で送るべき少なくとも１つのパケット（たとえば、Ｐ個のパケット、ただしＬ≧Ｐ≧１）の各々についてのチャネル品質を示し得る。ＵＥは、各ダウンリンクキャリアについてのＣＱＩ／ＰＭＩ／ＲＩをｅＮＢに周期的に送り得、および／または要求されるときはいつでも１つまたは複数のダウンリンクキャリアについてのＣＱＩ／ＰＭＩ／ＲＩを送り得る。本明細書で使用する、「ＣＱＩ／ＰＭＩ／ＲＩ」は、ＣＱＩのみ、ＰＭＩのみ、ＲＩのみ、ＣＱＩとＰＭＩの両方、またはＣＱＩ、ＰＭＩおよびＲＩのすべてなど、ＣＱＩ、ＰＭＩおよびＲＩのいずれかの組合せを指すことがある。本明細書で使用する、「ＣＱＩ／ＰＭＩ」は、ＣＱＩのみ、ＰＭＩのみ、またはＣＱＩとＰＭＩの両方を指すことがある。
【００２４】
ｅＮＢは、ＵＥからすべてのダウンリンクキャリアについてのＣＱＩ／ＰＭＩ／ＲＩを受信し得る。ｅＮＢは、ＣＱＩ／ＰＭＩ／ＲＩおよび／または他の情報を使用して、データの送信のためのＵＥを選択し、１つまたは複数のダウンリンクキャリアおよび／またはアップリンクキャリア上でＵＥをスケジュール(schedule)し、ＵＥがスケジュールされた各キャリアについて１つまたは複数のＭＣＳを選択し得る。ｅＮＢは、各選択されたダウンリンクキャリアについて選択された１つまたは複数のＭＣＳに基づいて、そのダウンリンクキャリアの１つまたは複数のパケットを処理（たとえば、符号化および変調）し得る。ｅＮＢは、次いで、各選択されたダウンリンクキャリア上で１つまたは複数のパケットのデータ送信をＵＥに送り得る。
【００２５】
ＵＥは、各選択されたダウンリンクキャリア上で１つまたは複数のパケットのデータ送信を受信し、復号し得る。ＵＥは、各選択されたダウンリンクキャリア上の各パケットが正しく復号されたのか、または間違って復号されたのかを判断し得る。ＵＥは、正しく復号された各パケットについてＡＣＫを取得し、間違って復号された各パケットについてＮＡＣＫを取得し得る。ＵＥは、すべての選択されたダウンリンクキャリア上で受信されたパケットについて取得されたＡＣＫおよび／またはＮＡＣＫの何らかの組合せを備えるＡＣＫ／ＮＡＣＫを送り得る。ｅＮＢは、ＵＥからＡＣＫ／ＮＡＣＫを受信し得、ＡＣＫが受信された各パケットの送信を終了し得、ＮＡＣＫが受信された各パケットについて別のデータ送信を送り得る。ＵＥはまた、送るべきデータがあり、ＵＥがアップリンクキャリア上のデータの送信のためにスケジュールされるとき、アップリンクキャリア上でデータをｅＮＢに送信し得る。
【００２６】
図４に示すように、ｅＮＢは、各ダウンリンクキャリア上のデータ送信に対するダウンリンク（ＤＬ）許可をＵＥに送り得る。ダウンリンク許可は、特定のダウンリンクキャリア上のデータ送信を受信し、復号するために使用すべき様々なパラメータを含み得る。ｅＮＢはまた、アップリンクキャリア上のＵＥからのデータ送信に対するアップリンク（ＵＬ）許可を送り得る。アップリンク許可は、アップリンクキャリア上のデータ送信を生成し、送るために使用すべき様々なパラメータを含み得る。アップリンク許可はＣＱＩ要求をも含み得る。この場合、ＵＥは、アップリンクキャリア上でデータとともにＣＱＩ／ＰＭＩ／ＲＩを送り得る。
【００２７】
図４に、ＡＣＫ／ＮＡＣＫがデータ送信の４つのサブフレーム後に送られる例を示す。概して、ＡＣＫ／ＮＡＣＫ遅延は、任意の固定数または可変数のサブフレームであり得る。また、図４に、データ送信がアップリンク許可の４つのサブフレーム後にアップリンク上で送られる例を示す。概して、アップリンクデータ遅延は、任意の固定数または可変数のサブフレームであり得る。
【００２８】
図４に示すように、ＵＥは、任意の所与のサブフレームにおいて、データおよび／または制御情報を送信し得るか、またはいずれも送信し得ない。制御情報は、ＣＱＩ／ＰＭＩ／ＲＩのみ、またはＡＣＫ／ＮＡＣＫのみ、またはＣＱＩ／ＰＭＩ／ＲＩとＡＣＫ／ＮＡＣＫの両方を備え得る。ＵＥは、当該の各ダウンリンクキャリアについて周期的にＣＱＩ／ＰＭＩ／ＲＩを送るように構成され得、それは周期ＣＱＩ報告と呼ばれることがある。この場合、ＵＥは、周期ＣＱＩ報告のためのスケジュールによって判断された指定されたサブフレーム中で周期的にＣＱＩ報告を送り得る。各ＣＱＩ報告は、１つのダウンリンクキャリアについてのＣＱＩ／ＰＭＩ／ＲＩを備え得る。１つの設計では、周期ＣＱＩ報告は、たとえば、各ダウンリンクキャリアについてのＣＱＩ報告構成に基づいて、そのダウンリンクキャリアについて別々に構成され得る。別の設計では、周期ＣＱＩ報告は、たとえば、ダウンリンクキャリアのグループについてのＣＱＩ報告構成に基づいて、そのグループについて構成され得る。また、ＵＥは、任意のサブフレーム中で１つまたは複数のダウンリンクキャリアについてのＣＱＩ／ＰＭＩ／ＲＩを送るように要求され得、それは非周期ＣＱＩ報告と呼ばれることがある。これは、アップリンク許可中に１つまたは複数のダウンリンクキャリアについてのＣＱＩ要求を含めることによって達成され得る。
【００２９】
図４に示すように、ｅＮＢは、ダウンリンクキャリア上の物理ダウンリンク制御チャネル（ＰＤＣＣＨ）上で制御情報（たとえば、ダウンリンク許可および／またはアップリンク許可）をＵＥに送り得る。ｅＮＢは、ダウンリンクキャリア上の物理ダウンリンク共有チャネル（ＰＤＳＣＨ）上でデータをＵＥに送り得る。ＵＥは、アップリンクキャリア上のＰＵＣＣＨ上で制御情報（たとえば、ＣＱＩ／ＰＭＩ／ＲＩおよび／またはＡＣＫ／ＮＡＣＫ）のみをｅＮＢに送り得る。ＵＥは、アップリンクキャリア上のＰＵＳＣＨ上でデータのみ、またはデータと制御情報の両方をｅＮＢに送り得る。
【００３０】
図４に示す例では、ＵＥは、サブフレームｔ中でＰＵＣＣＨ上で周期ＣＱＩ報告を送る。ＵＥは、サブフレームｔ＋４中でＰＵＳＣＨ上でＡＣＫ／ＮＡＣＫとデータとを送る。ＵＥは、サブフレームｔ＋５およびｔ＋１０の各々の中でＰＵＳＣＨ上でＣＱＩ報告とデータとを送る。ＵＥは、サブフレームｔ＋８中でＰＵＳＣＨ上でＣＱＩ報告とＡＣＫ／ＮＡＣＫとデータとを送り、サブフレームｔ＋１１中でＰＵＣＣＨ上でＡＣＫ／ＮＡＣＫを送る。概して、ＵＥは、マルチキャリア動作のために任意の数のダウンリンクキャリアと任意の数のアップリンクキャリアとで構成され得る。任意の数のダウンリンクキャリアについての制御情報は１つまたは複数のアップリンクキャリア上で送られ得る。
【００３１】
マルチキャリア動作では比較的大量の制御情報が生成され得る。本開示は、マルチキャリア動作において制御情報を扱うための技法を提示する。これらの技法は、複数のキャリアについての様々なタイプの制御情報に優先度を付け、多重化することと、多重化された制御情報をジョイント符号化するか、または別々に符号化することと、その結果を指定されたアップリンクキャリアの１つまたは複数のレイヤにマッピングすることとを含み得る。また、有利なことに、シングルキャリアアップリンク波形が維持され得る。
【００３２】
第１の設計では、すべてのダウンリンクキャリアについての制御情報は、様々な方法で判断され得る単一のアップリンクキャリア上で送られ得る。１つの設計では、１つのアップリンクキャリアは、１次アップリンクキャリアとして指定され得、すべてのダウンリンクキャリアについての制御情報を搬送し得る。別の設計では、アップリンクキャリアは異なる優先度を割り当てられ得、すべてのアクティブなアップリンクキャリアのうち最高優先度をもつアクティブなキャリアは、すべてのダウンリンクキャリアについての制御情報を搬送し得る。たとえば、アップリンクキャリアは、それらのインデックスに基づいて優先度を割り当てられ得、すべてのアクティブなアップリンクキャリアのうち最も低いインデックスをもつアクティブなキャリアは、すべてのダウンリンクキャリアについての制御情報を送るために使用され得る。さらに別の設計では、制御情報を送るべきアップリンクキャリアはｅＮＢによって指定され得る。たとえば、アップリンク許可は、データを送信すべき特定のアップリンクキャリアを示し得、すべてのダウンリンクキャリアについての制御情報はデータと多重化され、このアップリンクキャリア上で送られ得る。さらに別の設計では、すべてのダウンリンクキャリアについての制御情報を搬送するために、最高データレートまたはスペクトル効率をもつアップリンクキャリアが選択され得る。すべてのダウンリンクキャリアについての制御情報を送るべきアップリンクキャリアはまた、他の方法で判断され得る。
【００３３】
第２の設計では、すべてのダウンリンクキャリアについての制御情報は、複数のアップリンクキャリア上で送られ得る。１つの設計では、ダウンリンクキャリアは、所定のマッピングルールに基づいてアップリンクキャリアにマッピングされ得る。マッピングルールは、半静的または動的であり得、たとえば、図２に示すように各ダウンリンクキャリアがマッピングされる特定のアップリンクキャリアを示し得る。ダウンリンクキャリアはまた、他の方法でアップリンクキャリアにマッピングされ得る。各アップリンクキャリアは、そのアップリンクキャリアにマッピングされたダウンリンクキャリアのセットについての制御情報を搬送し得る。
【００３４】
ダウンリンクキャリアが（１つまたは複数の）アップリンクキャリアにどのようにマッピングされるかにかかわらず、単一のアップリンクキャリアは、そのアップリンクキャリアにマッピングされた複数のダウンリンクキャリアについての制御情報を搬送し得る。このアップリンクキャリアは、１次アップリンクキャリア、最高優先度をもつアクティブなアップリンクキャリア、アップリンク許可によって示されたアップリンクキャリア、最高データレートをもつアップリンクキャリア、ダウンリンクキャリアのセットが（たとえば、上位レイヤシグナリングによって）マッピングされたアップリンクキャリア、または他の方法で判断されたアップリンクキャリアであり得る。概して、任意の数のダウンリンクキャリアについての制御情報が単一のアップリンクキャリア上で送られ得る。各ダウンリンクキャリアについての制御情報はＣＱＩ／ＰＭＩ／ＲＩおよび／またはＡＣＫ／ＮＡＣＫを含み得る。各ダウンリンクキャリアについてのＣＱＩ／ＰＭＩ／ＲＩは周期ＣＱＩ報告および／または非周期ＣＱＩ報告に起因し得る。
【００３５】
図５Ａに、１つのアップリンクキャリアにマッピングされた複数のダウンリンクキャリア１〜Ｍについての時間整合周期ＣＱＩ報告の一例を示し、Ｍは、１よりも大きい任意の値であり得る。ＵＥは、Ｍ個のダウンリンクキャリアの各々についての周期ＣＱＩ報告のために構成され得る。ＵＥは、そのダウンリンクキャリアについてのＣＱＩ報告スケジュールに基づいて各ダウンリンクキャリアについてのＣＱＩ／ＰＭＩ／ＲＩを送り得る。ＣＱＩ報告スケジュールは、ＣＱＩ／ＰＭＩ／ＲＩをどのくらいの頻度で、どのサブフレーム中で送るべきかを示し得る。ＣＱＩ／ＰＭＩ／ＲＩが報告されるサブフレームは、報告サブフレームと呼ばれることがある。
【００３６】
図５Ａに示す例では、同じＣＱＩ報告スケジュールは、すべてのＭ個のダウンリンクキャリアのために使用され得る。ＵＥは、Ｓ個のサブフレームの各ＣＱＩ報告間隔において１つのサブフレーム中で１つのアップリンクキャリア上でＭ個のダウンリンクキャリアについてのＣＱＩ／ＰＭＩ／ＲＩを備えるＣＱＩ報告を送り得、Ｓは構成可能な値であり得る。周期ＣＱＩ報告の場合、ＵＥは、１つの報告サブフレーム中でダウンリンクキャリアについてのＣＱＩ／ＰＭＩまたはＲＩのいずれかを送り得、連続する報告サブフレーム中でＣＱＩ／ＰＭＩとＲＩとを交互に送り得る。たとえば、ＵＥは、サブフレームｔ中でダウンリンクキャリアについてのＣＱＩ／ＰＭＩを送り、次いでサブフレームｔ＋Ｓ中でダウンリンクキャリアについてのＲＩを送り、次いでサブフレームｔ＋２Ｓ中でダウンリンクキャリアについてのＣＱＩ／ＰＭＩを送り、次いでサブフレームｔ＋３Ｓ中でダウンリンクキャリアについてのＲＩを送り得、以下同様である。
【００３７】
図５Ｂに、１つのアップリンクキャリアにマッピングされた複数のダウンリンクキャリア１〜Ｍについてのスタッガード周期ＣＱＩ報告の一例を示す。ＵＥは、Ｍ個のダウンリンクキャリアの各々についての周期ＣＱＩ報告のために構成され得る。図５Ｂに示す例では、異なるＣＱＩ報告スケジュールは、Ｍ個のダウンリンクキャリアのために使用され得、Ｍ個のダウンリンクキャリアについての報告サブフレームは、時間的にスタッガードであり得る。したがって、Ｍ個のダウンリンクキャリアについてのＣＱＩ／ＰＭＩ／ＲＩは時分割多重（ＴＤＭ）であり得る。したがって、ＵＥは、任意の所与のサブフレーム中で１つのアップリンクキャリア上でただ１つのダウンリンクキャリアについてのＣＱＩ／ＰＭＩまたはＲＩのいずれかを送り得る。
【００３８】
図５Ｃに、１つのアップリンクキャリア上の複数のダウンリンクキャリアについての非周期ＣＱＩ報告の一例を示す。１つのアップリンクキャリアＹ上のデータの送信のためにＵＥをスケジュールするために、アップリンク許可が１つのダウンリンクキャリアＸ上で送られ得る。アップリンクキャリアＹは、ダウンリンクキャリアＸに関連付けられ得るか、またはアップリンク許可中で指定され得る。アップリンク許可はＣＱＩ要求を含み得る。１つの設計では、マルチキャリア動作の場合、ＣＱＩ要求は、ＣＱＩ／ＰＭＩ／ＲＩが要求され得るダウンリンクキャリアのセットのためのビットのセットを有するビットマップを備え得る。各ダウンリンクキャリアについてのビットは、（ｉ）ＣＱＩ／ＰＭＩ／ＲＩがそのダウンリンクキャリアについて要求されることを示す第１の値（たとえば、「１」）、または（ｉｉ）ＣＱＩ／ＰＭＩ／ＲＩがそのダウンリンクキャリアについて要求されないことを示す第２の値（たとえば、「０」）に設定され得る。ＣＱＩ／ＰＭＩ／ＲＩが要求されるダウンリンクキャリアはまた、他の方法で、たとえば、ＣＱＩ／ＰＭＩ／ＲＩがアップリンク許可中で要求される各ダウンリンクキャリアのインデックスを含むことによって示され得る。ＵＥは、すべての要求されたダウンリンクキャリアについてのＣＱＩ／ＰＭＩ／ＲＩを送り得る。ＵＥは、サブフレームｔ中でアップリンク許可を受信し得、サブフレームｔ＋ｎ中でデータとすべての要求されたダウンリンクキャリアについてのＣＱＩ／ＰＭＩ／ＲＩとを送り得、ｎは４または何らかの他の値に等しくなり得る。
【００３９】
様々なシナリオでは、ＵＥは、同じサブフレーム中で１つのアップリンクキャリア上で複数のダウンリンクキャリアについてのＣＱＩ／ＰＭＩ／ＲＩとデータとを送り得る。第１のシナリオでは、ＵＥは、ＣＱＩ要求のないアップリンク許可を介してアップリンク上のデータの送信のためにスケジュールされ得、（たとえば、図５Ａに示すように）複数のダウンリンクキャリアについての周期ＣＱＩ報告が満了であり得る。第２のシナリオでは、ＵＥは、複数のダウンリンクキャリアについてのＣＱＩ要求をもつアップリンク許可を介して、アップリンク上のデータの送信のためにスケジュールされ得、複数のダウンリンクキャリアについての非周期ＣＱＩ報告が満了であり得る。第３のシナリオでは、ＵＥは、少なくとも１つのダウンリンクキャリアについてのＣＱＩ要求をもつアップリンク許可を介して、アップリンク上のデータの送信のためにスケジュールされ得、１つまたは複数のダウンリンクキャリアについての１つまたは複数の周期ＣＱＩ報告が満了であり得る。
【００４０】
第３のシナリオでは、複数のダウンリンクキャリアについての周期および非周期ＣＱＩ報告が満了であり得、ＵＥは、重複するＣＱＩ／ＰＭＩ／ＲＩを送ることを回避するために検査し得る。１つの設計では、周期ＣＱＩ報告が満了であり、非周期ＣＱＩ報告も要求される各ダウンリンクキャリアについて、非周期ＣＱＩ報告がより包括的であり得、および／またはより高い優先度を有し得るので、ＵＥは周期ＣＱＩ報告を破棄し得る。特に、周期ＣＱＩ報告は、ＣＱＩ／ＰＭＩのみ、またはＲＩのみを含み得るが、非周期ＣＱＩ報告はＣＱＩ／ＰＭＩとＲＩの両方を含み得る。次いで、ＵＥは、各ダウンリンクキャリアについて、周期ＣＱＩ報告または非周期ＣＱＩ報告のいずれかを送り得る。ＵＥは、Ｕ個のダウンリンクキャリアｘ１〜ｘＵの第１のセットについての周期ＣＱＩ報告を送り得、Ｖ個のダウンリンクキャリアｙ１〜ｙＶの第２のセットについての非周期ＣＱＩ報告を送り得、Ｕ≧１、Ｖ≧１であり、セット｛ｘ１，．．．，ｘＵ｝とセット｛ｙ１，．．．，ｙＶ｝との共通部分は空集合である。別の設計では、１つのダウンリンクキャリアについての非周期ＣＱＩ報告が、別のダウンリンクキャリアについての周期ＣＱＩ報告の代わりに送られ得る。
【００４１】
１つの設計では、ＵＥは、１つのサブフレーム中で１つのアップリンクキャリア上ですべてのダウンリンクキャリアについてのＣＱＩ／ＰＭＩ／ＲＩとデータとを送り得る。別の設計では、たとえば、送るべき制御情報の量を低減するために、ＵＥは、１つのサブフレーム中で１つのアップリンクキャリア上でダウンリンクキャリアのうちのいくつかのみについてのＣＱＩ／ＰＭＩ／ＲＩとデータとを送り得る。この設計では、ダウンリンクキャリアは、それらのインデックス、送るべきＣＱＩ報告のタイプなどに基づいて優先度を割り当てられ得る。最高優先度をもつ１つまたは複数のダウンリンクキャリアについてのＣＱＩ／ＰＭＩ／ＲＩが送られ得る。
【００４２】
１つの設計では、ＵＥは、すべてのダウンリンクキャリアについてのすべてのタイプの制御情報を送り得る。別の設計では、たとえば、送るべき制御情報の量を低減するために、ＵＥは、あるタイプの制御情報を送り得、他のタイプの制御情報を破棄し得る。たとえば、ＵＥは、すべてのダウンリンクキャリアについてのＡＣＫ／ＮＡＣＫを送り得、１つまたは複数のダウンリンクキャリアについてのＣＱＩ／ＰＭＩ／ＲＩを破棄し得る。
【００４３】
上記で説明したすべてのシナリオの場合、ＵＥは、１つのサブフレーム中で１つのアップリンクキャリア上で複数のダウンリンクキャリアについてのＣＱＩ／ＰＭＩ／ＲＩとデータとを送り得る。ＵＥは、データがＵＥによって受信された１つまたは複数のダウンリンクキャリアについてのＡＣＫ／ＮＡＣＫをも送り得る。
【００４４】
ＵＥは、様々な方法で、１つのアップリンクキャリア上で複数のダウンリンクキャリアについての制御情報とデータとを送り得る。各ダウンリンクキャリアについての制御情報は、ＣＱＩ、ＰＭＩ、ＲＩおよびＡＣＫ／ＮＡＣＫのうちの１つまたは複数を含み得る。ＵＥは、異なるダウンリンクキャリアについてのＣＱＩ、ＰＭＩ、ＲＩおよびＡＣＫ／ＮＡＣＫの同じまたは異なる組合せを送り得る。たとえば、ＵＥは、周期ＣＱＩ報告が満了である各ダウンリンクキャリアについてのＣＱＩ／ＰＭＩまたはＲＩのいずれかを送り得、非周期ＣＱＩ報告が要求される各ダウンリンクキャリアについてのＣＱＩ／ＰＭＩとＲＩの両方を送り得る。
【００４５】
第１の制御送信設計では、ＵＥは、１つのアップリンクキャリア上のＰＵＳＣＨと１つまたは複数のＰＵＣＣＨとの上で、複数のダウンリンクキャリアについての制御情報とデータとを送り得る。１つの設計では、各ダウンリンクキャリアについての制御情報は別々のＰＵＣＣＨ上で送られ得、データはＰＵＳＣＨ上で送られ得る。別の設計では、１つのダウンリンクキャリアについての制御情報とデータとはＰＵＳＣＨ上で送られ得、残りの各ダウンリンクキャリアについての制御情報は、別々のＰＵＣＣＨ上で送られ得る。さらに別の設計では、２つ以上のダウンリンクキャリアについての制御情報は、多重化され、１つのＰＵＣＣＨ上で送られ得る。たとえば、１つのダウンリンクキャリアについてのＣＱＩ／ＰＭＩと、別のダウンリンクキャリアについてのＡＣＫ／ＮＡＣＫとは多重化され得、１つのＰＵＣＣＨ上で送られ得る。複数のダウンリンクキャリアについての制御情報とデータとはまた、他の方法で、ＰＵＳＣＨと１つまたは複数のＰＵＣＣＨとの上で送られ得る。
【００４６】
ＵＥは、様々な方法で、１つのアップリンクキャリア上でＰＵＳＣＨと１つまたは複数のＰＵＣＣＨとを同時に送信し得る。１つの設計では、良好なパフォーマンスが達成され得るように、ＵＥは、ＰＵＳＣＨと１つまたは複数のＰＵＣＣＨとにそれの利用可能な送信電力を割り振り得る。別の設計では、ＵＥは、より高い優先度をもつ各ＰＵＣＣＨにより多くの送信電力を割り振り、ＰＵＳＣＨとより低い優先度をもつ各ＰＵＣＣＨとにより少ない送信電力を割り振り得る。たとえば、ＵＥは、ＡＣＫ／ＮＡＣＫを搬送する各ＰＵＣＣＨにより多くの送信電力を割り振り、ＣＱＩ／ＰＭＩ／ＲＩのみを搬送する各ＰＵＣＣＨにより少ない送信電力を割り振り得る。ＵＥはまた、他の方法で、１つのアップリンクキャリア上でＰＵＳＣＨと１つまたは複数のＰＵＣＣＨとを同時に送信し得る。
【００４７】
第２の制御送信設計では、ＵＥは、１つのサブフレーム中で１つのアップリンクキャリア上のＰＵＳＣＨのみの上で、データと多重化された複数のダウンリンクキャリアについての制御情報を送り得る。この設計により、ＵＥはシングルキャリア波形を維持することが可能になり得、その結果、第１の制御送信設計にわたってＰＡＰＲが低くなり得る。ＰＡＰＲが低くなると、パフォーマンスが向上し得、たとえば、電力制限のあるＵＥがより高い電力レベルで送信することが可能になり得る。複数のダウンリンクキャリアについての制御情報は、様々な方法でコーディングされ、データと多重化され、１つのアップリンクキャリア上のＰＵＳＣＨのリソース要素にマッピングされ得る。
【００４８】
第１のコーディング設計では、複数のダウンリンクキャリアについての各タイプの制御情報は、多重化（またはアグリゲート）され、ジョイントコーディングされ得る。この設計では、ＵＥは、すべてのダウンリンクキャリアについてのＣＱＩ／ＰＭＩを多重化し得、多重化されたＣＱＩ／ＰＭＩをジョイント符号化し得る。ＵＥは、同様にすべてのダウンリンクキャリアについてのＲＩを多重化し得、多重化されたＲＩをジョイント符号化し得る。ＵＥはまた、すべてのダウンリンクキャリアについてのＡＣＫ／ＮＡＣＫをアグリゲートし得、アグリゲートされたＡＣＫ／ＮＡＣＫをジョイント符号化し得る。
【００４９】
所与のダウンリンクキャリアについてのＣＱＩ／ＰＭＩ／ＲＩは、ダウンリンクキャリアのために構成されたデータ送信モード、ダウンリンクキャリアについての周期ＣＱＩ報告構成などの様々なファクタに依存し得る。データ送信モードは、空間多重化がダウンリンクキャリア上でサポートされるかどうか、ダウンリンクキャリア上で同時に送られ得るパケットの最大数など、ダウンリンクキャリア上のデータの送信のための様々なパラメータを示し得る。データ送信モードは、ダウンリンクキャリアについて、制御情報のどのタイプ（たとえば、ＣＱＩのみ、またはＣＱＩ、ＰＭＩおよびＲＩのすべて）を送るべきかに影響を及ぼし得る。データ送信モードはまた、１つまたは複数のタイプの制御情報のサイズ（すなわち、ペイロードサイズ）に影響を及ぼし得る。たとえば、ＲＩは、最高２つの空間レイヤがダウンリンクキャリア上のＰＤＳＣＨのためにサポートされる場合に１ビット、最高４つの空間レイヤがサポートされる場合に２ビット、または最高８つの空間レイヤがサポートされる場合に３ビットを備え得る。同様に、ダウンリンクキャリアについての周期ＣＱＩ報告構成は、どの（１つまたは複数の）タイプの制御情報を送るべきか、および場合によっては各制御情報タイプのペイロードサイズを示し得る。
【００５０】
図６Ａに、複数（Ｍ個）のダウンリンクキャリアについての特定のタイプの制御情報のためのジョイントコーディングの第１の設計を示す。この設計では、すべてのダウンリンクキャリアについての特定のタイプの制御情報（たとえば、ＣＱＩ／ＰＭＩまたはＲＩ）は、所定の順序に基づいて多重化され得る。所定の順序は、固定であり得、ダウンリンクキャリアのインデックスまたは何らかの他のルールに基づいて判断され得る。所定の順序はまた、可変であり得、ランダム性を向上させるために、経時的に（たとえば、サブフレームからサブフレームに）変化し得る。図６Ａに示すように、異なるダウンリンクキャリアについての特定のタイプの制御情報は、異なるペイロードサイズを有し得る。すべてのＭ個のダウンリンクキャリアについての特定のタイプの多重化された制御情報は、特定のタイプについてコーディングされた情報を取得するためにジョイント符号化され得る。
【００５１】
明快のために、図６Ａに、Ｍ個のダウンリンクキャリアについてのＲＩのジョイントコーディングを示す。すべてのＭ個のダウンリンクキャリア１〜ＭについてのＲＩは、互いに多重化され得る。Ｍ個のダウンリンクキャリアについての多重化されたＲＩは、次いでジョイント符号化され得る。
【００５２】
図６Ｂに、複数（Ｍ個）のダウンリンクキャリアについての特定のタイプの制御情報のためのジョイントコーディングの第２の設計を示す。この設計では、共通のペイロードサイズは、すべてのダウンリンクキャリアのために使用され得る。共通のペイロードサイズは、すべてのダウンリンクキャリアのうちの制御情報タイプについて最も大きいペイロードサイズであるか、またはデフォルトペイロードサイズであるか、または他の方法で判断されたペイロードサイズであり得る。各ダウンリンクキャリアについての特定のタイプの制御情報（たとえば、ＣＱＩ／ＰＭＩまたはＲＩ）は、共通のペイロードサイズに一致するようにゼロパディングされるか、または符号化され得る。（ゼロパディングまたはコーディング後の）すべてのダウンリンクキャリアについての特定のタイプの制御情報は、その場合、同じペイロードサイズを有し得、所定の順序で互いに多重化され得る。すべてのＭ個のダウンリンクキャリアについての特定のタイプの多重化された制御情報は、特定のタイプについてコーディングされた情報を取得するためにジョイント符号化され得る。
【００５３】
明快のために、図６Ｂに、共通のペイロードサイズ３ビットを用いたＭ個のダウンリンクキャリア１〜ＭについてのＲＩのジョイントコーディングを示す。ダウンリンクキャリア１についての２ビットＲＩは、３ビットを取得するために、ブロック符号でコーディングされ得る。ダウンリンクキャリアＭについての３ビットＲＩは、ゼロパディングまたはコーディングなしに与えられ得る。（もしあれば）残りの各ダウンリンクキャリアについてのＲＩは、直接与えられるか、または３ビットを取得するためにブロック符号で符号化され得る。（コーディング後の）ダウンリンクキャリア１〜ＭについてのＲＩは、互いに多重化され得る。Ｍ個のダウンリンクキャリアについての多重化されたＲＩは、ジョイント符号化され得る。
【００５４】
図６Ａおよび図６Ｂに示すジョイントコーディング設計の各々について、すべてのＭ個のダウンリンクキャリアについての特定のタイプの制御情報に基づいて、巡回冗長検査（ＣＲＣ）が計算され得る。ＣＲＣは、誤り検出のために使用され得、特定のタイプの多重化された制御情報に付加され得る。多重化された制御情報およびＣＲＣは、コーディングされた情報を取得するためにジョイント符号化され得る。ＣＲＣは、あるタイプの制御情報のみ（たとえば、ＣＱＩ／ＰＭＩのみ）のために、またはすべてのタイプの制御情報のために使用され得る。ＣＲＣはまた、あるペイロードサイズのみ（たとえば、ペイロードサイズが特定のビット数を超えるとき）のために、またはすべてのペイロードサイズのために使用され得る。
【００５５】
たとえば、無線リソース制御（ＲＲＣ）を介した、１つまたは複数のダウンリンクキャリアについてのデータ送信モードおよび／または周期ＣＱＩ報告の再構成があり得る。ｅＮＢは第１の瞬間において再構成のためのシグナリングを送り得、ＵＥは第２の瞬間においてその再構成を実装し得、それはｅＮＢに知られていないことがある。したがって、ｅＮＢが１つまたは複数のダウンリンクキャリアについての１つまたは複数の制御情報タイプのペイロードサイズを知らない不確実性期間があり得る。たとえば、ダウンリンクキャリアの再構成は、３ビットＲＩから２ビットＲＩまでの変化を生じ得る。ｅＮＢは、不確実性期間中にＵＥによってダウンリンクキャリアについての３ビットＲＩが送られるのか、２ビットＲＩが送られるのかを知らないことがある。
【００５６】
再構成中のペイロードサイズの不確実性は、様々な方法で対処され得る。１つの設計では、ｅＮＢは、再構成中にすべての可能なペイロードサイズについて復号を実行し得る。たとえば、再構成が３つのダウンリンクキャリアの各々について２つの可能なペイロードサイズを生じる場合、ｅＮＢは、３つのダウンリンクキャリアについてペイロードサイズの８つの可能な組合せについて復号を実行し得る。したがって、ｅＮＢは、すべての可能なペイロードサイズを検査することによって複数の仮定テストを実行し得る。この設計は、図６Ａに示すジョイントコーディング設計のために使用され得る。
【００５７】
再構成中にペイロードサイズの不確実性に対処する別の設計では、不確実性期間中に共通のペイロードサイズが仮定され得る。すべてのダウンリンクキャリアについての特定のタイプの制御情報は同じサイズを有し得、所定の順序で互いに多重化され得、図６Ｂに示すように、ジョイント符号化され得る。すべてのダウンリンクキャリアについてのペイロードサイズを一致させ、所定の順序で多重化することによって、ｅＮＢは、ブラインド復号を実行する必要なしにすべてのダウンリンクキャリアについての制御情報を受信することができる。再構成された各ダウンリンクキャリアについて、ｅＮＢは、このダウンリンクキャリアについての複数の可能性を検査し得る。再構成によって影響を及ぼされないダウンリンクキャリアについて、ｅＮＢは、他のダウンリンクキャリアの再構成によって影響を及ぼされないペイロードサイズを知り得る。
【００５８】
また、所与のダウンリンクキャリアについてのＡＣＫ／ＮＡＣＫは、ダウンリンクキャリアのために構成されたデータ送信モードなどの様々なファクタに依存し得る。データ送信モードは、ダウンリンクキャリア上で送るべきパケット（またはコードワード）の数を示し、したがって返送すべきＡＣＫおよび／またはＮＡＣＫの数を示し得る。
【００５９】
複数のダウンリンクキャリアについてのＡＣＫ／ＮＡＣＫは、様々な方法で１つのアップリンクキャリア上で送られ得る。第１の設計では、複数のダウンリンクキャリアについてのＡＣＫ／ＮＡＣＫが多重化され、次いで、たとえば、図６Ａまたは図６Ｂに示すようにジョイント符号化され得る。第２の設計では、送るべきＡＣＫ／ＮＡＣＫビットの数を低減するために、空間バンドリングおよび／またはキャリアバンドリングが実行され得る。空間バンドリングはダウンリンクキャリアごとに実行され得るが、キャリアバンドリングはパケット／コードワードごとにダウンリンクキャリアにわたって実行され得る。バンドルＡＣＫ／ＮＡＣＫビットは、コーディングを用いてまたは用いずに送られ得る。たとえば、空間バンドリングは、以下で説明するように各ダウンリンクキャリアについて実行され得、Ｍ個のダウンリンクキャリアについてのＭ個のバンドルＡＣＫ／ＮＡＣＫビットはジョイント符号化され得る。
【００６０】
ＵＥは、次のように所与のダウンリンクキャリアについて空間バンドリングを実行し得る。ＵＥは最初に、ダウンリンクキャリア上で受信された各パケットについて、パケットが正しく復号されたのか、または間違って復号されたのかに基づいてＡＣＫまたはＮＡＣＫを判断し得る。ＵＥは次いで、１つのバンドルＡＣＫまたはＮＡＣＫを取得するために、ダウンリンクキャリア上で受信されたすべてのパケットについてＡＣＫおよび／またはＮＡＣＫをバンドルし得る。たとえば、ＵＥは、（ｉ）ダウンリンクキャリア上で受信されたすべてのパケットについてＡＣＫが取得された場合、バンドルＡＣＫを取得し、または（ｉｉ）ダウンリンクキャリア上で受信されたいずれかのパケットについてＮＡＣＫが取得された場合、バンドルＮＡＣＫを取得し得る。ｅＮＢは、ＵＥからバンドルＡＣＫまたはＮＡＣＫを受信し得る。ｅＮＢは、バンドルＡＣＫが受信された場合、すべてのパケットの送信を終了し得、バンドルＮＡＣＫが受信された場合、すべてのパケットの追加の送信を送り得る。
【００６１】
ＵＥは、次のように複数のダウンリンクキャリアにわたってキャリアバンドリングを実行し得る。簡単のために、以下の説明では、各ダウンリンクキャリア上で１つのパケットが送られると仮定する。ＵＥは最初に、各ダウンリンクキャリア上で受信されたパケットについて、パケットが正しく復号されたのか、または間違って復号されたのかに基づいてＡＣＫまたはＮＡＣＫを判断し得る。ＵＥは次いで、１つのバンドルＡＣＫまたはＮＡＣＫを取得するために、すべてのダウンリンクキャリア上で受信されたパケットについてＡＣＫおよび／またはＮＡＣＫをバンドルし得る。たとえば、ＵＥは、（ｉ）すべてのダウンリンクキャリア上で受信されたパケットについてＡＣＫが取得された場合、バンドルＡＣＫを取得し、または（ｉｉ）いずれかのダウンリンクキャリア上で受信されたパケットについてＮＡＣＫが取得された場合、バンドルＮＡＣＫを取得し得る。ｅＮＢは、ＵＥからバンドルＡＣＫまたはＮＡＣＫを受信し得る。ｅＮＢは、バンドルＡＣＫが受信された場合、複数のダウンリンクキャリア上のすべてのパケットの送信を終了し得、バンドルＮＡＣＫが受信された場合、すべてのダウンリンクキャリア上で複数のパケットの追加の送信を送り得る。
【００６２】
複数のダウンリンクキャリアについてのＡＣＫ／ＮＡＣＫは、様々な方法でバンドリングを用いて送られ得る。第１のバンドリング設計では、空間バンドリングが、ダウンリンクキャリアについての１つのバンドルＡＣＫ／ＮＡＣＫを取得するために、ダウンリンクキャリアごとに実行され得る。次いでＭ個のダウンリンクキャリア上で受信されたパケットについて、Ｍ個のバンドルＡＣＫ／ＮＡＣＫビットが送られ得る。第２のバンドリング設計では、キャリアバンドリングが、パケットまたはコードワードごとに１つのバンドルＡＣＫ／ＮＡＣＫを取得するために、ダウンリンクキャリアにわたって実行され得る。たとえば、Ｐ個のパケットがＭ個のダウンリンクキャリアの各々の上で受信され得る。Ｍ個のキャリア上で受信された第１のパケットについてのＡＣＫおよび／またはＮＡＣＫが、第１のバンドルＡＣＫまたはＮＡＣＫを取得するためにバンドルされ得る。また、Ｍ個のキャリア上で受信された第２のパケットについてのＡＣＫおよび／またはＮＡＣＫが、第２のバンドルＡＣＫまたはＮＡＣＫを取得するためにバンドルされ得る。次いでＭ個のダウンリンクキャリアの各々の上で受信されたＰ個のパケットについて、Ｐ個のバンドルＡＣＫ／ＮＡＣＫビットが送られ得る。
【００６３】
１つの設計では、消失したＰＤＣＣＨの検出を可能にするために、ダウンリンク許可とアップリンク許可の両方において、ダウンリンク割当てインデックス（ＤＡＩ;downlink assignment index）フィールドが利用され得る。消失したＰＤＣＣＨは、ｅＮＢによってＵＥに送られたが理由は何であれＵＥによって検出されないＰＤＣＣＨ送信である。ＤＡＩフィールドは、ダウンリンク許可中に含められ得、ＵＥによって肯定応答されるべきＰＤＣＣＨの累積的なインデックスを示し得る。ＤＡＩフィールドはまた、アップリンク許可中に含められ得、ＰＤＳＣＨ送信を用いたサブフレームの総数を示し得る。
【００６４】
ＵＥは、ＰＤＣＣＨ上で送られたアップリンク許可を介してＰＵＳＣＨ上のデータの送信のために動的にスケジュールされ得る。アップリンクキャリア上で送るべきＡＣＫ／ＮＡＣＫビットの総数は、アップリンク許可中のＤＡＩフィールドの値のＸ倍として設定され得、Ｘは、すべてのダウンリンクキャリア上で１つのサブフレーム中で送られるパケットの最大数を表す。ＵＥは、所与のサブフレーム中で１つまたは複数のダウンリンクキャリア上のデータ送信のためにスケジュールされないことがあるが、それにもかかわらず、ＵＥがスケジュールされない各ダウンリンクキャリアについてのＡＣＫ／ＮＡＣＫを生成し得る。ＵＥがダウンリンクキャリアに対するダウンリンク許可を消失した場合、ＵＥは、ダウンリンクキャリアについて、対応するペイロード位置においてＮＡＣＫを送り得る。したがって、ＵＥは、消失したダウンリンク割当てについてのＮＡＣＫを送り得る。最終ＡＣＫ／ＮＡＣＫペイロードは、構成されたダウンリンクキャリアの数と、各ダウンリンクキャリアについて構成された送信モードとに従って判断され得、それは半静的であり得る。
【００６５】
ＵＥは、上位レイヤシグナリングを介したＰＵＳＣＨ上のデータの送信のために半永続的にスケジュールされ得る。１つのアップリンクキャリア上で送るべきＡＣＫ／ＮＡＣＫビットの総数は、（ＦＤＤの場合）アップリンクにマッピングされたダウンリンクキャリアの数のＸ倍、または（ＴＤＤの場合）アップリンクサブフレームにマッピングされたダウンリンクサブフレームの数のＸ倍として設定され得る。上記で説明したように、ＮＡＣＫは、ダウンリンク許可が検出されない各ダウンリンクキャリアについて送られ得る。
【００６６】
第２のコーディング設計では、複数のダウンリンクキャリアの各々についての制御情報は、別々に（すなわち、独立して）コーディングされ得る。１つの設計では、ＵＥは、各ダウンリンクキャリアについて送るべきすべての制御情報（たとえば、ＣＱＩ、ＰＭＩ、ＲＩおよび／またはＡＣＫ／ＮＡＣＫ）をアグリゲートし得る。ＵＥは、次いで各ダウンリンクキャリアについてアグリゲートされた制御情報を符号化し得る。別の設計では、ＵＥは、各ダウンリンクキャリアについての各タイプの制御情報を別々に符号化し得る。たとえば、ＵＥは、ダウンリンクキャリアについて、ＣＱＩ／ＰＭＩを別々に符号化し、ＲＩを別々に符号化し、ＡＣＫ／ＮＡＣＫを別々に符号化し得る。両方の設計の場合、ＵＥは、Ｍ個のダウンリンクキャリアについてのコーディングされた情報のＭ個のブロックを取得し得る。
【００６７】
第３のコーディング設計では、ジョイントコーディングと別々のコーディングとの組合せは、複数のダウンリンクキャリアについての制御情報に対して実行され得る。１つの設計では、ジョイントコーディングはあるタイプの制御情報について実行され得、別々のコーディングは他のタイプの制御情報について実行され得る。たとえば、ジョイントコーディングはＡＣＫ／ＮＡＣＫについて実行され得、すべてのダウンリンクキャリアについてのＡＣＫ／ＮＡＣＫは多重化され、次いでジョイント符号化され得る。同様に、ジョイントコーディングはＣＱＩ／ＰＭＩについて実行され得、すべてのダウンリンクキャリアについてのＣＱＩ／ＰＭＩは、たとえば、ブロック符号またはテイルバイティング畳み込み符号（ＴＢＣＣ：tail biting convolutional code）でジョイント符号化され得る。１つの設計では、ジョイントコーディングがＲＩについて実行され得、すべてのダウンリンクキャリアについてのＲＩは、たとえば、図６Ａに示すようにジョイント符号化され得る。別の設計では、別々のコーディングがＲＩについて実行され得る。両方の設計の場合、ＲＩ情報についてバンドリングが回避され得る。比較的小さいペイロードサイズを有する制御情報の各タイプ（たとえば、ＲＩおよびＡＣＫ／ＮＡＣＫ）についてジョイントコーディングを使用することが望ましいことがある。より大きいペイロードサイズを有する制御情報の各タイプ（たとえば、ＣＱＩ／ＰＭＩ）について別々の／独立したコーディングを使用することが望ましいことがある。ジョイントコーディングおよび別々のコーディングはまた、他の方法で適用され得る。複数のダウンリンクキャリアについての制御情報は、上記で説明したコーディング設計のいずれかに基づいて符号化され得る。（コーディング後の）複数のダウンリンクキャリアについての制御情報とデータとは、様々な方法で１つのアップリンクキャリア上のＰＵＳＣＨのためのリソースにマッピングされ得る。
【００６８】
図７Ａに、複数のダウンリンクキャリアについての制御情報とデータとを１つのアップリンクキャリア上のＰＵＳＣＨにマッピングする設計を示す。図７Ａの設計は、ジョイントコーディング設計のために使用され得る。図７Ａに、各スロットがノーマルサイクリックプレフィックスのための７つのシンボル期間を含む場合を示す。ＰＵＳＣＨは、１つのサブフレームの２つのスロット中で２つのリソースブロック７１０ａおよび７１０ｂ上で送られ得、各リソースブロックは７つのシンボル期間の１つのスロット中で１２個のサブキャリアをカバーする。リソースブロック７１０ａおよび７１０ｂは、周波数ホッピングが使用可能でない場合に１２個のサブキャリアの同じセットをカバーするか、または、周波数ホッピングが使用可能である場合にサブキャリアの異なるセットをカバーし得る。図７Ａに示すように、基準信号（ＲＳ）は、各リソースブロックの中間シンボル期間中ですべてのリソース要素上で送られ得る。データおよび制御情報は、各リソースブロックの残りの６つのシンボル期間中でリソース要素上で送られ得る。
【００６９】
図７Ａに示すように、複数のダウンリンクキャリアについてのＣＱＩ、ＰＭＩ、ＲＩ、および／またはＡＣＫ／ＮＡＣＫなど、異なるタイプの制御情報は、２つのリソースブロック７１０ａおよび７１０ｂ中でデータと多重化され、ＰＵＳＣＨ上で送られ得る。複数のダウンリンクキャリアについてのＣＱＩ／ＰＭＩは（送られる場合）２つのリソースブロック７１０ａおよび７１０ｂ中の特定のリソース要素にマッピングされ得る。同様に、複数のダウンリンクキャリアについてのＲＩは（送られる場合）リソースブロック７１０ａおよび７１０ｂ中の他のリソース要素にマッピングされ得る。さらに、複数のダウンリンクキャリアについてのＡＣＫ／ＮＡＣＫは（送られる場合）リソースブロック７１０ａおよび７１０ｂ中の異なるリソース要素にマッピングされ得る。データは、基準信号または制御情報のために使用されない、リソースブロック７１０ａおよび７１０ｂ中の残りのリソース要素にマッピングされ得る。
【００７０】
概して、各タイプの制御情報のために使用すべきリソース要素の数は、報告されているダウンリンクキャリアの数、各ダウンリンクキャリアについてのそのタイプの制御情報の量、制御情報タイプのために選択されたコーディングなどに依存し得る。より多くのダウンリンクキャリアについての制御情報を送るために、より多くのリソース要素が使用され得る。
【００７１】
図７Ａに示すように、複数のダウンリンクキャリアについての制御情報は、ＰＵＳＣＨ上で時間領域におけるデータと多重化され得る。各シンボル期間中で、データと制御情報とのための１２個の変調シンボルが、図７Ａに示すように多重化または構成され、１２個の周波数領域シンボルを取得するために、１２ポイント離散フーリエ変換（ＤＦＴ）を用いて周波数領域に変換され得る。これらの１２個の周波数領域シンボルは、リソースブロック７１０ａまたは７１０ｂによってカバーされた１２個のサブキャリアにマッピングされ得、値０をもつ０シンボルは、残りのサブキャリアにマッピングされ得る。次いで、有効部のためのＮFFT個の時間領域サンプルを取得するために、ＮFFTポイント逆高速フーリエ変換（ＩＦＦＴ）がＮFFT個のマッピングされたシンボルに対して実行され得る。ＮFFT＋ＮCP個のサンプルを備えるＳＣ−ＦＤＭＡシンボルを取得するために、有効部における最後のＮCP個の時間領域サンプルはコピーされ、有効部の前部に付加され得る。ＳＣ−ＦＤＭＡシンボルはシングルキャリア波形と低いＰＡＰＲとを有するので、望ましい。
【００７２】
図７Ｂに、複数のダウンリンクキャリアについての制御情報とデータとを１つのアップリンクキャリア上のＰＵＳＣＨにマッピングする別の設計を示す。図７Ｂの設計は、独立したコーディング設計のために使用され得る。明快のために、図７Ｂに、１つのアップリンクキャリア上のＰＵＳＣＨ上で送られる、２つのダウンリンクキャリア１および２についての制御情報とデータとを示す。ダウンリンクキャリア１についてのＣＱＩ／ＰＭＩ、ＲＩおよびＡＣＫ／ＮＡＣＫは、リソースブロック７２０ａおよび７２０ｂの上半分中のリソース要素の第１のセットにマッピングされ得る。ダウンリンクキャリア２についてのＣＱＩ／ＰＭＩ、ＲＩおよびＡＣＫ／ＮＡＣＫは、リソースブロック７２０ａおよび７２０ｂの下半分中のリソース要素の第２のセットにマッピングされ得る。データは、基準信号または制御情報のために使用されない、リソースブロック７１０ａおよび７１０ｂ中の残りのリソース要素にマッピングされ得る。
【００７３】
図７Ｂに示すように、異なるダウンリンクキャリアについての制御情報が、ＰＵＳＣＨの異なるロケーションにマッピングされ得る。ダウンリンクキャリアは、様々な方法でＰＵＳＣＨの異なるロケーションにマッピングされ得る。１つの設計では、各ダウンリンクキャリアについてのＰＵＳＣＨのロケーションは、ダウンリンクキャリアのインデックスに基づいて判断され得る。たとえば、より低いインデックスをもつダウンリンクキャリアは、ＰＵＳＣＨの上半分中のロケーションにマッピングされ得、より高いインデックスをもつダウンリンクキャリアは、ＰＵＳＣＨの下半分中のロケーションにマッピングされ得る。
【００７４】
空間多重化がＰＵＳＣＨのために使用され得、複数のレイヤ（たとえば、２つまたは４つのレイヤ）がＰＵＳＣＨのために利用可能であり得る。複数のダウンリンクキャリアについての制御情報とデータとは、様々な方法で１つのアップリンクキャリア上のＰＵＳＣＨの複数のレイヤ上で送られ得る。
【００７５】
図８Ａに、複数のダウンリンクキャリアについての制御情報とデータとを１つのアップリンクキャリア上のＰＵＳＣＨの複数のレイヤにマッピングする設計を示す。概して、Ｐ個のパケットまたはコードワードがＰＵＳＣＨのＬ個のレイヤ上で送られ得、Ｌ≧Ｐ≧１およびＬ＞１である。１つの設計では、１つのパケットがすべてのＬ個のレイヤ上で送られ得、パケットの異なる部分が各レイヤ上で送られ得る。複数のダウンリンクキャリアについての制御情報は、パケットと多重化され、Ｌ個のレイヤの間で（たとえば、等しく）分割され得る。別の設計では、１つのパケットが各レイヤ上で送られ得る。複数のダウンリンクキャリアについての制御情報は、Ｌ個のパケットの間で（たとえば、等しく）分割され得、制御情報の異なる部分は各パケットと多重化され得る。
【００７６】
明快のために、図８Ａに、１つのアップリンクキャリア上のＰＵＳＣＨの２つのレイヤ１および２上で送られる２つのダウンリンクキャリア１および２についての制御情報とデータとを示す。ジョイントコーディング設計の場合、ダウンリンクキャリア１および２についてのＣＱＩ／ＰＭＩがジョイント符号化され、レイヤ１とレイヤ２との間で分割され、図８Ａに示すように２つのレイヤ中のリソース要素にマッピングされ得る。同様に、ダウンリンクキャリア１および２についてのＲＩがジョイント符号化され、レイヤ１とレイヤ２との間で分割され、図８Ａに示すように２つのレイヤ中のリソース要素にマッピングされ得る。また、ダウンリンクキャリア１および２についてのＡＣＫ／ＮＡＣＫがジョイント符号化され、レイヤ１とレイヤ２との間で分割され、図８Ａに示すように２つのレイヤ中のリソース要素にマッピングされ得る。独立したコーディング設計の場合、ダウンリンクキャリア１についてのＣＱＩ／ＰＭＩ、ＲＩおよびＡＣＫ／ＮＡＣＫはレイヤ１中のリソース要素にマッピングされ得、ダウンリンクキャリア２についてのＣＱＩ／ＰＭＩ、ＲＩおよびＡＣＫ／ＮＡＣＫはレイヤ２中のリソース要素にマッピングされ得る。ジョイントコーディング設計と独立したコーディング設計の両方の場合、データは、基準信号または制御情報のために使用されない、レイヤ１および２中の残りのリソース要素にマッピングされ得る。
【００７７】
図８Ｂに、複数のダウンリンクキャリアについての制御情報とデータとを１つのアップリンクキャリア上のＰＵＳＣＨの複数のレイヤにマッピングする別の設計を示す。図８Ｂの設計は、独立したコーディング設計のために使用され得る。この設計では、各ダウンリンクキャリアについての制御情報がすべてのレイヤ上で送られ得る。各レイヤは、複数のダウンリンクキャリアの各々についての制御情報の一部分を搬送し得る。
【００７８】
明快のために、図８Ｂに、１つのアップリンクキャリア上のＰＵＳＣＨの２つのレイヤ１および２上で送られる２つのダウンリンクキャリア１および２についての制御情報とデータとを示す。ダウンリンクキャリア１についての制御情報が半分に分割され得、制御情報の前半はレイヤ１中のリソース要素の第１のセットにマッピングされ得、制御情報の後半はレイヤ２中のリソース要素の第１のセットにマッピングされ得る。同様に、ダウンリンクキャリア２についての制御情報が半分に分割され得、制御情報の前半はレイヤ１中のリソース要素の第２のセットにマッピングされ得、制御情報の後半はレイヤ２中のリソース要素の第２のセットにマッピングされ得る。データは、基準信号または制御情報のために使用されない、レイヤ１および２中の残りのリソース要素にマッピングされ得る。
【００７９】
図８Ａおよび図８Ｂに、ＰＵＳＣＨの２つのレイヤへの複数のダウンリンクキャリアについての制御情報の例示的なマッピングを示す。複数のダウンリンクキャリアについての制御情報はまた、他の方法でＰＵＳＣＨの複数のレイヤにマッピングされ得る。１つの設計では、制御情報の異なるタイプが、ＰＵＳＣＨの異なる数のレイヤにマッピングされ得る。たとえば、ＣＱＩ／ＰＭＩは、１つのパケット／コードワードのために使用されるＰＵＳＣＨの１つまたは複数のレイヤにマッピングされ得るが、ＲＩおよび／またはＡＣＫ／ＮＡＣＫは、ＰＵＳＣＨのすべてのレイヤにマッピングされ得る。
【００８０】
図７Ａ〜図８Ｂに、ＰＵＳＣＨのためのリソース要素への複数のダウンリンクキャリアについての制御情報の例示的なマッピングを示す。複数のダウンリンクキャリアについての制御情報はまた、他の方法でＰＵＳＣＨのためのリソース要素にマッピングされ得る。より重要なタイプの制御情報（たとえば、ＡＣＫ／ＮＡＣＫ）を基準信号の近くにマッピングすることが望ましいことがある。また、時間ダイバーシティを取得するために、各タイプの制御情報を複数のシンボル期間にマッピングすることが望ましいことがある。
【００８１】
ワイヤレスネットワーク１００は、周波数分割複信（ＦＤＤ）または時分割複信（ＴＤＤ）を利用し得る。ＦＤＤの場合、ダウンリンクとアップリンクとは別々のキャリア（または周波数チャネル）を割り振られ得る。ダウンリンク送信は、１つまたは複数のダウンリンクキャリア上で送られ得、アップリンク送信は、１つまたは複数のアップリンクキャリア上で同時に送られ得る。ＴＤＤの場合、ダウンリンクとアップリンクとは同じ１つまたは複数のキャリアを共有し得、各キャリアはダウンリンクとアップリンクの両方のために使用され得る。ダウンリンク送信とアップリンク送信とは、ＴＤＤでは異なる時間期間中に（１つまたは複数の）同じキャリア上で送られ得る。上記で説明したように、本明細書で説明する技法は、ＦＤＤのために使用され得る。本技法は、ＴＤＤのためにも使用され得る。
【００８２】
ＴＤＤの場合、複数のサブフレーム中で複数のダウンリンクキャリア上のＰＵＳＣＨ上で送られたデータ送信についてのＡＣＫ／ＮＡＣＫとアップリンクのためのデータとは、１つのサブフレーム中で１つのアップリンクキャリア上のＰＵＳＣＨ上で送られ得る。送るべきＡＣＫ／ＮＡＣＫの量を低減するために、空間バンドリング、キャリアバンドリング、および／またはサブフレームバンドリングが実行され得る。ＵＥは、次のようにサブフレームバンドリングを実行し得る。簡単のために、以下の説明では、１つのパケットがＮ個のサブフレームの各々において１つのダウンリンクキャリア上で送られると仮定する。ＵＥは最初に、各サブフレーム中でダウンリンクキャリア上で受信されたパケットについて、パケットが正しく復号されたのか、または間違って復号されたのかに基づいてＡＣＫまたはＮＡＣＫを判断し得る。ＵＥは次いで、１つのバンドルＡＣＫまたはＮＡＣＫを取得するために、すべてのＮ個のサブフレーム中でダウンリンクキャリア上で受信されたパケットについてＡＣＫおよび／またはＮＡＣＫをバンドルし得る。たとえば、ＵＥは、（ｉ）すべてのＮ個のサブフレーム中でダウンリンクキャリア上で受信されたパケットについてＡＣＫが取得された場合、バンドルＡＣＫを取得し、または（ｉｉ）いずれかのサブフレーム中でダウンリンクキャリア上で受信されたパケットについてＮＡＣＫが取得された場合、バンドルＮＡＣＫを取得し得る。サブフレームバンドリングは、パケット／コードワードごとに別々に実行され得る。たとえば、Ｐ個のパケットがＮ個のサブフレームの各々においてＭ個のダウンリンクキャリアの各々の上で送られた場合、Ｍ個のダウンリンクキャリアの各々の上で送られたＮ＊Ｐ個のパケットについて、Ｐ個のバンドルＡＣＫおよび／またはＮＡＣＫが取得され得る。
【００８３】
図９に、複数のダウンリンクキャリアについての制御情報とデータとを送るためのプロセス９００の設計を示す。プロセス９００は、（以下で説明するように）ＵＥによって、または何らかの他のエンティティによって実行され得る。ＵＥは、それがダウンリンクキャリアのセット上でのマルチキャリア動作のために構成されたと判断する（ブロック９１２）。ＵＥは、アップリンクキャリア上でデータを送るべきサブフレームを判断する（ブロック９１４）。ＵＥはまた、サブフレーム中で制御情報を送るべき複数のダウンリンクキャリアを判断する（ブロック９１６）。複数のダウンリンクキャリアは、ＵＥのために構成されたキャリアのセット中のキャリアの全部または一部を含み得る。ＵＥは、サブフレーム中で送るべき複数のダウンリンクキャリアについての制御情報を判断する（ブロック９１８）。複数のダウンリンクキャリアについて制御情報は、複数の別個のダウンリンクキャリアの各々についての制御情報を含み得る。ＵＥは、複数のダウンリンクキャリアについての制御情報を、アップリンクキャリア上で送るべきデータと多重化する（ブロック９２０）。ＵＥは、次いで、サブフレーム中でアップリンクキャリア上のデータチャネル（たとえば、ＰＵＳＣＨ）上で多重化された制御情報とデータとを送る（ブロック９２２）。
【００８４】
ブロック９１４の１つの設計では、ＵＥは、アップリンクキャリア上でデータを送るためのアップリンク許可を受信し得る。ＵＥは、アップリンク許可が受信されたサブフレームに基づいてアップリンクキャリア上でデータを送るべきサブフレームを判断し得る。別の設計では、ＵＥは、たとえば、均等に離間したサブフレーム中で、アップリンクキャリア上のデータの送信のために半永続的にスケジュールされ得る。データを送るべきサブフレームは、ＵＥが半永続的にスケジュールされたサブフレームのうちの１つであり得る。ＵＥはまた、他の方法でサブフレームを判断し得る。
【００８５】
概して、複数のダウンリンクキャリアについての制御情報は、任意のタイプの情報を備え得る。１つの設計では、各ダウンリンクキャリアについての制御情報は、ＣＱＩ、ＰＭＩ、ＲＩ、ＡＣＫ／ＮＡＣＫ、何らかの他の制御情報、またはそれらの組合せを備え得る。
【００８６】
ブロック９１６および９１８の１つの設計では、ＵＥは、（ｉ）複数のダウンリンクキャリアについての周期フィードバック報告（たとえば、周期ＣＱＩ報告）構成に基づいて、または（ｉｉ）複数のダウンリンクキャリアについてのフィードバック要求（たとえば、ＣＱＩ要求）に基づいて、複数のダウンリンクキャリアについてサブフレーム中で送るべき複数のフィードバック報告を判断し得る。ＵＥは、複数のフィードバック報告に基づいて複数のダウンリンクキャリアについての制御情報を判断し得る。別の設計では、ＵＥは、（ｉ）周期フィードバック報告構成に基づく、少なくとも１つのダウンリンクキャリアについて送るべき少なくとも１つの周期フィードバック報告と、（ｉｉ）フィードバック要求に基づく、１つまたは複数のダウンリンクキャリアについて送るべき１つまたは複数の非周期フィードバック報告とを判断し得る。ＵＥは、サブフレーム中で送るべきすべてのフィードバック報告に基づいて、複数のダウンリンクキャリアについての制御情報を判断し得る。１つの設計では、ＵＥは、（ｉ）周期フィードバック報告構成に基づく周期フィードバック報告と、（ｉｉ）フィードバック要求に基づく非周期フィードバック報告とを送るべきダウンリンクキャリアを識別し得る。ＵＥは、非周期フィードバック報告には基づいて、周期フィードバック報告には基づかずにダウンリンクキャリアについての制御情報を判断し得る。たとえば、周期フィードバック報告は、ＣＱＩ／ＰＭＩまたはＲＩのいずれかを備え得、非周期フィードバック報告は、ＣＱＩ／ＰＭＩとＲＩとを備え得る。別の設計では、ＵＥは、周期フィードバック報告を送るべき第１のダウンリンクキャリアを識別し、非周期フィードバック報告を送るべき第２のダウンリンクキャリアを判断し、非周期フィードバック報告には基づいて、周期フィードバック報告には基づかずに制御情報を判断し得る。ＵＥはまた、他の方法で複数のダウンリンクキャリアについての制御情報を判断し得る。
【００８７】
１つの設計では、ＵＥは、１次アップリンクキャリア、または最高優先度をもつアップリンクキャリア、または最高データレートを有するアップリンクキャリア、または複数のダウンリンクキャリアについての制御情報を送るべきアップリンクキャリアとして、指定されたダウンリンクキャリアに関連付けられたアップリンクキャリアを選択し得る。別の設計では、ＵＥは、ＵＥのために構成されたダウンリンクキャリアとアップリンクキャリアとの間の関連付けに基づいて、複数のダウンリンクキャリアについての制御情報を送るべきアップリンクキャリアを判断し得る。ＵＥは、ダウンリンクキャリアとアップリンクキャリアとの間の関連付けを示す上位レイヤシグナリングを受信し得る。
【００８８】
１つの設計では、ＵＥは、複数のダウンリンクキャリアの各々についての制御情報を別々に符号化し得る。別の設計では、ＵＥは、ダウンリンクキャリアにわたって制御情報をジョイント符号化し得る。この設計では、ＵＥは、複数のダウンリンクキャリアについての各タイプの多重化された制御情報を取得するために、制御情報の少なくとも１つのタイプに基づいて複数のダウンリンクキャリアについての制御情報を多重化し得る。ＵＥは、複数のダウンリンクキャリアの所定の順序に基づいて複数のダウンリンクキャリアについての特定のタイプの制御情報を多重化し得る。ＵＥは、たとえば、図６Ｂに示したように、ゼロパディングまたはコーディングに基づいて、複数のダウンリンクキャリアの各々についての特定のタイプの制御情報を所定のサイズに設定し得る。ＵＥは、次いで、複数のダウンリンクキャリアについての各タイプの多重化された制御情報をジョイント符号化し得る。さらに別の設計では、ＵＥは、ジョイントコーディングと独立したコーディングの両方を実行する。たとえば、ＵＥは、複数のダウンリンクキャリアのすべてについての第１のタイプの制御情報（たとえば、ＲＩまたはＡＣＫ／ＮＡＣＫ）をジョイント符号化し得る。ＵＥは、複数のダウンリンクキャリアの各々についての第２のタイプの制御情報（たとえば、ＣＱＩ／ＰＭＩ）を別々に符号化し得る。
【００８９】
ジョイントコーディングの１つの設計では、ＵＥは、複数のダウンリンクキャリアについての各タイプの多重化された制御情報を取得するために、制御情報タイプに基づいて複数のダウンリンクキャリアについての制御情報を多重化し得る。ＵＥは、各タイプについてのコーディングされた情報を取得するために、複数のダウンリンクキャリアについての各タイプの多重化された制御情報を符号化し得る。ＵＥは、各タイプについてのコーディングされた情報を変調シンボルにマッピングし得る。ＵＥは、制御情報の少なくとも１つのタイプについての変調シンボルをデータのための変調シンボルと多重化し得る。
【００９０】
独立したコーディングの１つの設計では、ＵＥは、各ダウンリンクキャリアについてのコーディングされた情報を取得するために、複数のダウンリンクキャリアの各々についての制御情報を符号化し得る。ＵＥは、各ダウンリンクキャリアについてのコーディングされた情報を変調シンボルにマッピングし得る。ＵＥは、複数のダウンリンクキャリアについての変調シンボルをデータのための変調シンボルと多重化し得る。
【００９１】
１つの設計では、制御情報は、少なくとも１つのダウンリンクキャリア上で送られた少なくとも１つのデータ送信についてのＡＣＫ／ＮＡＣＫを備え得る。ＵＥは、空間バンドリングを実行し得、ダウンリンクキャリアごとにコードワード／パケットにわたってＡＣＫ／ＮＡＣＫをバンドルし得る。代替または追加として、ＵＥは、キャリアバンドリングを実行し得、コードワードごとにダウンリンクキャリアにわたってＡＣＫ／ＮＡＣＫをバンドルし得る。１つの設計では、ＵＥは、ＤＡＩフィールドを備えるアップリンク許可を受信し得、ＤＡＩフィールドの値に基づいて送るべきＡＣＫ／ＮＡＣＫのビット数を判断し得る。別の設計では、ＵＥは、半永続的スケジューリングのためにアップリンクキャリアにマッピングされたダウンリンクキャリアのグループを判断し得る。ＵＥは、ダウンリンクキャリアのグループ中のダウンリンクキャリアの数に基づいて、送るべきＡＣＫ／ＮＡＣＫのビット数を判断し得る。１つの設計では、ＵＥは、指定されたアップリンクキャリア上ですべてのダウンリンクキャリアについてのＡＣＫ／ＮＡＣＫを送る。
【００９２】
１つの設計では、ＵＥは、複数のダウンリンクキャリアについての制御情報をデータチャネルの単一のレイヤにマッピングし得る。たとえば、ＵＥは、複数のダウンリンクキャリアについての制御情報をデータチャネルの複数のロケーションにマッピングし得、たとえば、図７Ｂに示したように、各ダウンリンクキャリアについての制御情報がデータチャネルの異なるロケーションにマッピングされる。
【００９３】
別の設計では、ＵＥは、複数のダウンリンクキャリアについての制御情報をデータチャネルの複数のレイヤにマッピングし得る。１つの設計では、ＵＥは、各ダウンリンクキャリアについての制御情報をデータチャネルの異なるレイヤにマッピングし得る。別の設計では、ＵＥは、各ダウンリンクキャリアについての制御情報をデータチャネルの複数のレイヤにマッピングし得、たとえば、図８Ｂに示したように、各レイヤは、各ダウンリンクキャリアについての制御情報の一部分を搬送する。さらに別の設計では、ＵＥは、制御情報の異なるタイプを異なる数のレイヤにマッピングし得る。たとえば、ＵＥは、（ｉ）第１のタイプの制御情報（たとえば、ＣＱＩ／ＰＭＩ）を第１の数のレイヤにマッピングし、（ｉｉ）第２のタイプの制御情報（たとえば、ＲＩまたはＡＣＫ／ＮＡＣＫ）を第２の数のレイヤにマッピングし得る。ＵＥはまた、他の方法で複数のダウンリンクキャリアについての制御情報をデータチャネルの複数のレイヤにマッピングし得る。
【００９４】
１つの設計では、ＵＥは、少なくとも１つの追加のダウンリンクキャリアについての第２の制御情報を判断し得る。第２の制御情報は、各追加のダウンリンクキャリアについてのＣＱＩ、ＰＭＩ、ＲＩ、ＡＣＫ／ＮＡＣＫ、他の情報、またはそれらの組合せを備え得る。ＵＥは、第２のアップリンクキャリア上で（たとえば、データチャネルまたは制御チャネル上で）少なくとも１つの追加のダウンリンクキャリアについての第２の制御情報を送り得る。
【００９５】
１つの設計では、ＵＥは、多重化された制御情報とデータとに基づいて複数のＳＣ−ＦＤＭＡシンボルを生成し得る。ＵＥは、サブフレームの複数のシンボル期間中に複数のＳＣ−ＦＤＭＡシンボルを送信し得る
図１０に、複数のダウンリンクキャリアについての制御情報とデータとを受信するためのプロセス１０００の設計を示す。プロセス１０００は、（以下で説明するように）基地局／ｅＮＢによって、または何らかの他のエンティティによって実行され得る。基地局は、ＵＥがダウンリンクキャリアのセット上でのマルチキャリア動作のために構成されたと判断する（ブロック１０１２）。基地局は、たとえば、アップリンク許可または半永続的スケジューリングを介して、サブフレーム中のアップリンクキャリアのデータチャネル上のデータ送信のためにＵＥをスケジュールする（ブロック１０１４）。基地局は、サブフレーム中でＵＥから受信されるべき複数のダウンリンクキャリアについての制御情報を判断する（ブロック１０１６）。基地局は、ＵＥによってサブフレーム中でアップリンクキャリア上で送られたデータチャネル（たとえば、ＰＵＳＣＨ）上でデータと多重化された複数のダウンリンクキャリアについての制御情報の少なくとも一部分を受信する（ブロック１０１８）。基地局は、データチャネルから、複数のダウンリンクキャリアについての制御情報とデータとを多重分離する（ブロック１０２０）。
【００９６】
１つの設計では、基地局は、複数のダウンリンクキャリアについての複数のフィードバック報告を取得するために、複数のダウンリンクキャリアについての制御情報を処理し得る。各フィードバック報告は、異なるダウンリンクキャリアについての制御情報を備え得る。各ダウンリンクキャリアについてのフィードバック報告は、ダウンリンクキャリアについての周期フィードバック報告構成、またはダウンリンクキャリアについてのフィードバック要求に基づいてトリガされ得る。
【００９７】
１つの設計では、基地局は、複数のダウンリンクキャリアの各々についての制御情報を別々に復号し得る。別の設計では、基地局は、制御情報の少なくとも１つのタイプの各々について、複数のダウンリンクキャリアについての制御情報をジョイント復号(jointly decoding)し得る。さらに別の設計では、基地局は、第１のタイプの制御情報（たとえば、ＣＱＩ／ＰＭＩ）を別々に復号し得、第２のタイプの制御情報（たとえば、ＲＩまたはＡＣＫ／ＮＡＣＫ）をジョイント復号し得る。
【００９８】
１つの設計では、基地局は、データチャネルの単一のレイヤから複数のキャリアについての制御情報を取得し得る。別の設計では、基地局は、データチャネルの複数のレイヤから複数のダウンリンクキャリアについての制御情報を取得し得る。別々のコーディングに適用可能であり得る１つの設計では、基地局は、データチャネルの複数のロケーションから複数のダウンリンクキャリアについての制御情報を取得し得、各ダウンリンクキャリアについての制御情報はデータチャネルの異なるロケーションから取得される。
【００９９】
図１１に、図１の基地局／ｅＮＢの１つであり得る基地局／ｅＮＢ１１０ｘおよび図１のＵＥの１つであり得るＵＥ１１０ｘの設計のブロック図を示す。ＵＥ１２０ｘ内で、受信機１１１０は、基地局によって送られたデータ送信を備えるダウンリンク信号を受信し、処理し得る。モジュール１１１２は、受信したデータ送信を処理（たとえば、復調および復号）し得る。モジュール１１１４は、受信したデータ送信についてのＡＣＫおよび／またはＮＡＣＫを判断し得る。モジュール１１１４はまた、適用可能な場合、ＡＣＫおよび／またはＮＡＣＫの空間バンドリング、キャリアバンドリング、および／またはサブフレームバンドリングを実行し得る。モジュール１１１６は、ＣＱＩ報告が満了であるかまたは要求された各ダウンリンクキャリアについてのＣＱＩ／ＰＭＩ／ＲＩを判断し得る。モジュール１１１８は、すべてのダウンリンクキャリアについてのＣＱＩ／ＰＭＩ／ＲＩとＡＣＫ／ＮＡＣＫとを多重化し、符号化し得る。モジュール１１１８は、ＣＱＩ／ＰＭＩ／ＲＩおよび／またはＡＣＫ／ＮＡＣＫを備える制御情報をデータと多重化し得、ＰＵＳＣＨ送信を生成するために、多重化された制御情報とデータとを処理し得る。送信機１１２０は、ＰＵＳＣＨ送信を備えるアップリンク信号を送信し得る。
【０１００】
モジュール１１２２は、ＵＥ１２０ｘのためのマルチキャリア構成を判断し得る。たとえば、モジュール１１２２は、ＵＥ１２０ｘのために構成されたダウンリンクキャリアおよび（１つまたは複数の）アップリンクキャリア、（１つまたは複数の）アップリンクキャリアへのダウンリンクキャリアのマッピングなどを判断し得る。ＵＥ１２０ｘ内の様々なモジュールは、上記で説明したように動作し得る。コントローラ／プロセッサ１１２４は、ＵＥ１２０ｘ内の様々なモジュールの動作を指示し得る。メモリ１１２６は、ＵＥ１２０ｘのデータとプログラムコードとを記憶し得る。
【０１０１】
基地局１１０ｘ内で、モジュール１１５２は、ＵＥ１２０ｘおよび／または他のＵＥのためのデータ送信を生成し得る。送信機１１５０は、データ送信を備えるダウンリンク信号を生成し得る。受信機１１５６は、ＵＥ１２０ｘおよび他のＵＥによって送信されたアップリンク信号を受信し、処理し得る。モジュール１１５８は、ＵＥ１２０ｘによって送られたＰＵＳＣＨおよび／または他の送信を回復するために、受信信号を処理し得る。モジュール１１５４は、ＰＵＳＣＨ送信中で送られたＡＣＫ／ＮＡＣＫを処理し、必要な場合、アンバンドリング（unbundling）を実行し、各パケットの送信を終了すべきか、または続けるべきかの指示を与え得る。モジュール１１６０は、ＰＵＳＣＨ送信中で送られたＣＱＩ／ＰＭＩ／ＲＩを処理すること、送信されるべきパケットのためのＭＣＳを選択することなどを行い得る。モジュール１１６２は、ＵＥ１２０ｘのためのマルチキャリア構成を判断し得、ＵＥ１２０ｘのために構成されたダウンリンクキャリアおよび（１つまたは複数の）アップリンクキャリア、ダウンリンクキャリアと（１つまたは複数の）アップリンクキャリアとの間のマッピングなどを判断し得る。基地局１１０ｘ内の様々なモジュールは、上記で説明したように動作し得る。コントローラ／プロセッサ１１６４は、基地局１１０ｘ内の様々なモジュールの動作を指示し得る。メモリ１１６６は、基地局１１０ｘのデータとプログラムコードとを記憶し得る。スケジューラ１１６８は、データ送信のためにＵＥをスケジュールし得る。
【０１０２】
図１１のモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１０３】
図１２に、図１の基地局／ｅＮＢの１つであり得る基地局／ｅＮＢ１１０ｙおよび図１のＵＥの１つであり得るＵＥ１２０ｙの設計のブロック図を示す。基地局１１０ｙはＴ個のアンテナ１２３４ａ〜１２３４ｔを装備し得、ＵＥ１２０ｙはＲ個のアンテナ１２５２ａ〜１２５２ｒを装備し得、一般にＴ≧１およびＲ≧１である。
【０１０４】
基地局１１０ｙにおいて、送信プロセッサ１２２０は、データソース１２１２から１つまたは複数のＵＥのデータを受信し、そのＵＥについて選択された１つまたは複数のＭＣＳに基づいて各ＵＥのデータを処理（たとえば、符号化および変調）し、すべてのＵＥのデータシンボルを与え得る。送信プロセッサ１２２０はまた、（たとえば、ダウンリンク許可、アップリンク許可、構成メッセージなどについての）制御情報を処理し、制御シンボルを与え得る。プロセッサ１２２０はまた、基準信号のための基準シンボルを生成し得る。送信（ＴＸ）多入力多出力（ＭＩＭＯ）プロセッサ１２３０は、（適用可能な場合は）データシンボル、制御シンボル、および／または基準シンボルをプリコードし、Ｔ個の出力シンボルストリームをＴ個の変調器（ＭＯＤ）１２３２ａ〜１２３２ｔに与え得る。各変調器１２３２は、（たとえば、ＯＦＤＭ用などに）その出力シンボルストリームを処理して出力サンプルストリームを取得し得る。各変調器１２３２はさらに、それのサンプルストリームを調整（たとえば、アナログへの変換、増幅、フィルタ処理、およびアップコンバート）してダウンリンク信号を取得し得る。変調器１２３２ａ〜１２３２ｔからのＴ個のダウンリンク信号は、それぞれＴ個のアンテナ１２３４ａ〜１２３４ｔを介して送信され得る。
【０１０５】
ＵＥ１２０ｙにおいて、アンテナ１２５２ａ〜１２５２ｒは、基地局１１０ｙおよび／または他の基地局からダウンリンク信号を受信し得、受信信号をそれぞれ復調器（ＤＥＭＯＤ）１２５４ａ〜１２５４ｒに与え得る。各復調器１２５４は、それの受信信号を調整（たとえば、フィルタ処理、増幅、ダウンコンバート、およびデジタル化）して、入力サンプルを得る。各復調器１２５４はさらに、（たとえば、ＯＦＤＭなどの）入力サンプルを処理して受信シンボルを取得し得る。ＭＩＭＯ検出器１２５６は、Ｒ個の復調器１２５４ａ〜１２５４ｒのすべてから受信シンボルを得て、適用可能な場合は受信シンボルに対してＭＩＭＯ検出を実行し、検出されたシンボルを与える。受信プロセッサ１２５８は、検出されたシンボルを処理（たとえば、復調および復号）し、ＵＥ１２０ｙの復号されたデータをデータシンク１２６０に供給し、復号された制御情報をコントローラ／プロセッサ１２８０に与え得る。
【０１０６】
アップリンク上では、ＵＥ１２０ｙにおいて、送信プロセッサ１２６４は、データソース１２６２からデータを受信および処理し、コントローラ／プロセッサ１２８０から（たとえば、ＣＱＩ、ＰＭＩ、ＲＩ、ＡＣＫ／ＮＡＣＫなどの）制御情報を受信し処理し得る。プロセッサ１２６４はまた、１つまたは複数の基準信号のための基準シンボルを生成し得る。送信プロセッサ１２６４からのシンボルは、適用可能な場合はＴＸ  ＭＩＭＯプロセッサ１２６６によってプリコードされ、さらに（たとえば、ＳＣ−ＦＤＭ、ＯＦＤＭなどのために）変調器１２５４ａ〜１２５４ｒによって処理され、基地局１１０ｙに送信され得る。基地局１１０ｙにおいて、ＵＥ１２０ｙおよび他のＵＥからのアップリンク信号は、アンテナ１２３４によって受信され、復調器１２３２によって処理され、適用可能な場合はＭＩＭＯ検出器１２３６によって検出され、さらに、ＵＥ１２０ｙおよび他のＵＥによって送られた、復号されたデータおよび制御情報を取得するために、受信プロセッサ１２３８によって処理され得る。プロセッサ１２３８は、復号されたデータをデータシンク１２３９に与え、復号された制御情報をコントローラ／プロセッサ１２４０に与え得る。
【０１０７】
コントローラ／プロセッサ１２４０および１２８０は、それぞれ基地局１１０ｙおよびＵＥ１２０ｙにおける動作を指示し得る。ＵＥ１２０ｙにおけるプロセッサ１２８０および／または他のプロセッサおよびモジュールは、図９のプロセス９００、および／または本明細書で説明する技法のための他のプロセスを実行または指示し得る。基地局１１０ｙにおけるプロセッサ１２４０および／または他のプロセッサおよびモジュールは、図１０のプロセス１０００、および／または本明細書で説明する技法のための他のプロセスを実行または指示し得る。メモリ１２４２および１２８２は、それぞれ基地局１１０ｙおよびＵＥ１２０ｙのためのデータおよびプログラムコードを記憶し得る。スケジューラ１２４４は、ダウンリンク上および／またはアップリンク上でのデータ送信のためにＵＥをスケジュールし得る。
【０１０８】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０９】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【０１１０】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１１】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体に存在してよい。例示的な記憶媒体は、プロセッサが記憶媒体から情報を読むことができ、記憶媒体に情報を書き込むことができるようにプロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１１２】
１つまたは複数の例示的な設計では、説明した機能は、ハードウェア、ソフトウェア、ファームウェア、またはそれらの組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１１３】
本開示の前述の説明は、いかなる当業者でも本開示を作成または使用することができるように提供される。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
ユーザ機器（ＵＥ）において、アップリンクキャリア上でデータを送るべきサブフレームを判断することと、
前記サブフレーム中で送るべき複数のダウンリンクキャリアについての制御情報を判断することと、
前記複数のダウンリンクキャリアについての前記制御情報を、前記アップリンクキャリア上で送るべき前記データと多重化することと、
前記ＵＥが、前記サブフレーム中で前記アップリンクキャリア上のデータチャネル上で前記多重化された制御情報とデータとを送ることと
を備える、ワイヤレス通信のための方法。
［Ｃ２］
前記制御情報を前記判断することが、
前記複数のダウンリンクキャリア中の各ダウンリンクキャリアについて、チャネル品質インジケータ（ＣＱＩ）、プリコーディング行列インジケータ（ＰＭＩ）、ランクインジケータ（ＲＩ）、肯定応答／否定応答（ＡＣＫ／ＮＡＣＫ）、またはそれらの組合せを判断すること
を備える、Ｃ１に記載の方法。
［Ｃ３］
前記制御情報を前記判断することが、前記ＵＥの周期フィードバック報告構成に基づいて、前記複数のダウンリンクキャリアについての複数のフィードバック報告を判断することを備える、Ｃ１に記載の方法。
［Ｃ４］
前記制御情報を前記判断することが、前記複数のダウンリンクキャリアの各々についてのフィードバック要求に基づいて、前記複数のダウンリンクキャリアについての複数のフィードバック報告を判断することを備える、Ｃ１に記載の方法。
［Ｃ５］
前記制御情報を前記判断することが、
前記複数のダウンリンクキャリア中の少なくとも１つのダウンリンクキャリアについての周期フィードバック報告構成に基づいて、前記少なくとも１つのダウンリンクキャリアについての前記サブフレーム中で送るべき少なくとも１つの周期フィードバック報告を判断することと、
前記複数のダウンリンクキャリア中の１つまたは複数のダウンリンクキャリアについてのフィードバック要求に基づいて、前記１つまたは複数のダウンリンクキャリアについての前記サブフレーム中で送るべき１つまたは複数の非周期フィードバック報告を判断することと、
前記少なくとも１つの周期フィードバック報告と前記１つまたは複数の非周期フィードバック報告とに基づいて前記制御情報を判断することと
を備える、Ｃ１に記載の方法。
［Ｃ６］
前記制御情報を前記判断することが、
前記周期フィードバック報告構成に基づく周期フィードバック報告と、前記フィードバック要求に基づく非周期フィードバック報告とを送るべき第１のダウンリンクキャリアを識別することと、
前記非周期フィードバック報告には基づいて、前記周期フィードバック報告には基づかずに前記第１のダウンリンクキャリアについての制御情報を判断することとをさらに備える、Ｃ５に記載の方法。
［Ｃ７］
前記制御情報を前記判断することが、
前記周期フィードバック報告構成に基づいて周期フィードバック報告を送るべき第１のダウンリンクキャリアを識別することと、
前記フィードバック要求に基づいて非周期フィードバック報告を送るべき第２のダウンリンクキャリアを判断することと、
前記非周期フィードバック報告には基づいて、前記周期フィードバック報告には基づかずに制御情報を判断することと
をさらに備える、Ｃ５に記載の方法。
［Ｃ８］
前記周期フィードバック報告が、チャネル品質インジケータ（ＣＱＩ）およびプリコーディング行列インジケータ（ＰＭＩ）、またはランクインジケータ（ＲＩ）のみを備え、前記非周期フィードバック報告がＣＱＩと、ＰＭＩと、ＲＩとを備える、Ｃ６に記載の方法。
［Ｃ９］
１次アップリンクキャリア、または最高優先度をもつアップリンクキャリア、または最高データレートを有するアップリンクキャリア、または前記複数のダウンリンクキャリアについての前記制御情報を送るべきアップリンクキャリアとして、指定されたダウンリンクキャリアに関連付けられた前記アップリンクキャリアを選択すること
をさらに備える、Ｃ１に記載の方法。
［Ｃ１０］
マルチキャリア動作における前記ＵＥのために構成されたダウンリンクキャリアとアップリンクキャリアとの間の関連付けに基づいて、前記複数のダウンリンクキャリアについての前記制御情報を送るべき前記アップリンクキャリアを判断すること
をさらに備える、Ｃ１に記載の方法。
［Ｃ１１］
前記ダウンリンクキャリアと前記アップリンクキャリアとの間の前記関連付けを示す上位レイヤシグナリングを受信すること
をさらに備える、Ｃ１０に記載の方法。
［Ｃ１２］
前記アップリンクキャリア上でデータを送るべき前記サブフレームを判断することが、アップリンク許可または前記ＵＥの半永続的スケジューリングに基づいて前記サブフレームを判断することを備える、Ｃ１に記載の方法。
［Ｃ１３］
前記複数のダウンリンクキャリアの各々についての制御情報を別々に符号化することをさらに備える、Ｃ１に記載の方法。
［Ｃ１４］
少なくとも１つの制御情報タイプの各々についての多重化された制御情報を取得するために、前記制御情報のタイプに基づいて前記複数のダウンリンクキャリアについての前記制御情報を多重化することと、
前記多重化された制御情報の各タイプをジョイント符号化することと
をさらに備える、Ｃ１に記載の方法。
［Ｃ１５］
前記制御情報を前記多重化することが、前記複数のダウンリンクキャリアの所定の順序に基づいて前記複数のダウンリンクキャリアについての同じタイプの制御情報を多重化することをさらに備える、Ｃ１４に記載の方法。
［Ｃ１６］
ゼロパディングまたは符号化に基づいて、前記複数のダウンリンクキャリアの各々についての特定のタイプの制御情報を所定のサイズに設定すること
をさらに備える、Ｃ１４に記載の方法。
［Ｃ１７］
前記複数のダウンリンクキャリアのすべてについての第１のタイプの制御情報をジョイント符号化することと、
前記複数のダウンリンクキャリアの各々についての第２のタイプの制御情報を別々に符号化することと
をさらに備える、Ｃ１に記載の方法。
［Ｃ１８］
前記第１のタイプの前記制御情報が、肯定応答／否定応答（ＡＣＫ／ＮＡＣＫ）、チャネル品質インジケータ（ＣＱＩ）、プリコーディング行列インジケータ（ＰＭＩ）、ランクインジケータ（ＲＩ）、またはそれらの組合せを備える、Ｃ１７に記載の方法。
［Ｃ１９］
少なくとも１つの制御情報タイプの各々についての多重化された制御情報を取得するために、前記制御情報のタイプに基づいて前記複数のダウンリンクキャリアについての前記制御情報を多重化することと、
各タイプについてのコーディングされた情報を取得するために、各タイプの前記多重化された制御情報を符号化することと、
各タイプについての前記コーディングされた情報を変調シンボルにマッピングすることと、
前記変調シンボルを、前記アップリンクキャリア上で送るべき前記データのための変調シンボルと多重化することと
をさらに備える、Ｃ１に記載の方法。
［Ｃ２０］
各ダウンリンクキャリアについてのコーディングされた情報を取得するために、前記複数のダウンリンクキャリアの各々についての制御情報を符号化することと、
各ダウンリンクキャリアについての前記コーディングされた情報を変調シンボルにマッピングすることと、
前記複数のダウンリンクキャリアについての変調シンボルを、前記アップリンクキャリア上で送るべき前記データのための変調シンボルと多重化することと
をさらに備える、Ｃ１に記載の方法。
［Ｃ２１］
前記制御情報を前記判断することが、前記複数のダウンリンクキャリア中の少なくとも１つのダウンリンクキャリア上で送られた少なくとも１つのデータ送信についての肯定応答／否定応答（ＡＣＫ／ＮＡＣＫ）を判断することを備える、Ｃ１に記載の方法。
［Ｃ２２］
ダウンリンクキャリアごとにコードワードにわたってＡＣＫ／ＮＡＣＫをバンドルすること
をさらに備える、Ｃ２１に記載の方法。
［Ｃ２３］
コードワードごとにダウンリンクキャリアにわたってＡＣＫ／ＮＡＣＫをバンドルすること
をさらに備える、Ｃ２１に記載の方法。
［Ｃ２４］
前記ＵＥのために構成された複数のアップリンクキャリアの中から前記ＡＣＫ／ＮＡＣＫを送るべきアップリンクキャリアを判断すること
をさらに備える、Ｃ２１に記載の方法。
［Ｃ２５］
ダウンリンク割当てインデックス（ＤＡＩ）フィールドを備えるアップリンク許可を受信することと、
前記ＤＡＩフィールドの値に基づいて、送るべきＡＣＫ／ＮＡＣＫのビット数を判断することと
をさらに備える、Ｃ２１に記載の方法。
［Ｃ２６］
半永続的スケジューリングのために前記アップリンクキャリアにマッピングされたダウンリンクキャリアのグループを判断することと、
ダウンリンクキャリアの前記グループ中のダウンリンクキャリアの数に基づいて、送るべきＡＣＫ／ＮＡＣＫのビット数を判断することと
をさらに備える、Ｃ２１に記載の方法。
［Ｃ２７］
前記複数のダウンリンクキャリアについての前記制御情報を前記データチャネルの複数のロケーションにマッピングすることであって、各ダウンリンクキャリアについての制御情報が前記データチャネルの異なるロケーションにマッピングされる、マッピングすること
をさらに備える、Ｃ１に記載の方法。
［Ｃ２８］
前記複数のダウンリンクキャリアについての前記制御情報を前記データチャネルの複数のレイヤにマッピングすること
をさらに備える、Ｃ１に記載の方法。
［Ｃ２９］
前記複数のダウンリンクキャリアの各々についての制御情報を前記データチャネルの複数のレイヤのうちの異なるレイヤにマッピングすること
をさらに備える、Ｃ１に記載の方法。
［Ｃ３０］
第１のタイプの制御情報を前記データチャネルの第１の数のレイヤにマッピングすることと、
第２のタイプの制御情報を前記データチャネルの第２の数のレイヤにマッピングすることであって、前記第２の数のレイヤが前記第１の数のレイヤとは異なる、マッピングすることと
をさらに備える、Ｃ１に記載の方法。
［Ｃ３１］
各ダウンリンクキャリアについての制御情報を前記データチャネルの複数のレイヤにマッピングすることであって、各レイヤが、前記複数のダウンリンクキャリアの各々についての制御情報の一部分を搬送する、マッピングすること
をさらに備える、Ｃ１に記載の方法。
［Ｃ３２］
少なくとも１つの追加のダウンリンクキャリアについての第２の制御情報を判断することであって、前記第２の制御情報が、前記少なくとも１つの追加のダウンリンクキャリアの各々について、チャネル品質インジケータ（ＣＱＩ）、プリコーディング行列インジケータ（ＰＭＩ）、ランクインジケータ（ＲＩ）、肯定応答／否定応答（ＡＣＫ／ＮＡＣＫ）、またはそれらの組合せを備える、判断することと、
前記アップリンクキャリアとは異なる第２のアップリンクキャリア上で、前記少なくとも１つの追加のダウンリンクキャリアについての前記第２の制御情報を送ることとをさらに備える、Ｃ１に記載の方法。
［Ｃ３３］
前記多重化された制御情報とデータとに基づいて複数のシングルキャリア周波数分割多元接続（ＳＣ−ＦＤＭＡ）シンボルを生成することと、
前記サブフレームの複数のシンボル期間中に前記複数のＳＣ−ＦＤＭＡシンボルを送ることと
をさらに備える、Ｃ１に記載の方法。
［Ｃ３４］
前記データチャネルが物理アップリンク共有チャネル（ＰＵＳＣＨ）を備える、Ｃ１に記載の方法。
［Ｃ３５］
ユーザ機器（ＵＥ）において、アップリンクキャリア上でデータを送るべきサブフレームを判断するための手段と、
前記サブフレーム中で送るべき複数のダウンリンクキャリアについての制御情報を判断するための手段と、
前記複数のダウンリンクキャリアについての前記制御情報を、前記アップリンクキャリア上で送るべき前記データと多重化するための手段と、
前記ＵＥが、前記サブフレーム中で前記アップリンクキャリア上のデータチャネル上で前記多重化された制御情報とデータとを送るための手段と
を備える、ワイヤレス通信のための装置。
［Ｃ３６］
前記制御情報を判断するための前記手段が、
前記ＵＥの周期フィードバック報告構成に基づいて、前記複数のダウンリンクキャリアについての複数のフィードバック報告を判断するための手段
を備える、Ｃ３５に記載の装置。
［Ｃ３７］
前記制御情報を前記判断するための手段が、
前記複数のダウンリンクキャリア中の少なくとも１つのダウンリンクキャリアについての周期フィードバック報告構成に基づいて、前記少なくとも１つのダウンリンクキャリアについての前記サブフレーム中で送るべき少なくとも１つの周期フィードバック報告を判断するための手段と、
前記複数のダウンリンクキャリア中の１つまたは複数のダウンリンクキャリアについてのフィードバック要求に基づいて、前記１つまたは複数のダウンリンクキャリアについての前記サブフレーム中で送るべき１つまたは複数の非周期フィードバック報告を判断するための手段と、
前記少なくとも１つの周期フィードバック報告と前記１つまたは複数の非周期フィードバック報告とに基づいて前記制御情報を判断するための手段と
を備える、Ｃ３５に記載の装置。
［Ｃ３８］
前記複数のダウンリンクキャリアの各々についての制御情報を別々に符号化するための手段
をさらに備える、Ｃ３５に記載の装置。
［Ｃ３９］
少なくとも１つの制御情報タイプの各々についての多重化された制御情報を取得するために、前記制御情報のタイプに基づいて前記複数のダウンリンクキャリアについての前記制御情報を多重化するための手段と、
前記多重化された制御情報の各タイプをジョイント符号化するための手段とをさらに備える、Ｃ３５に記載の装置。
［Ｃ４０］
前記複数のダウンリンクキャリアのすべてについての第１のタイプの制御情報をジョイント符号化するための手段と、
前記複数のダウンリンクキャリアの各々についての第２のタイプの制御情報を別々に符号化するための手段と
をさらに備える、Ｃ３５に記載の装置。
［Ｃ４１］
前記複数のダウンリンクキャリアについての前記制御情報を前記データチャネルの複数のレイヤにマッピングするための手段
をさらに備える、Ｃ３５に記載の装置。
［Ｃ４２］
ユーザ機器（ＵＥ）において、アップリンクキャリア上でデータを送るべきサブフレームを判断することと、
前記サブフレーム中で送るべき複数のダウンリンクキャリアについての制御情報を判断することと、
前記複数のダウンリンクキャリアについての前記制御情報を、前記アップリンクキャリア上で送るべき前記データと多重化することと、
前記ＵＥが、前記サブフレーム中で前記アップリンクキャリア上のデータチャネル上で前記多重化された制御情報とデータとを送ることと
を行うように構成された少なくとも１つのプロセッサと、
前記少なくとも１つのプロセッサに結合されたメモリと
を備える、ワイヤレス通信のための装置。
［Ｃ４３］
前記少なくとも１つのプロセッサが、
周期フィードバック報告構成に基づいて、前記複数のダウンリンクキャリアについての複数のフィードバック報告を判断することと、
前記複数のフィードバック報告に基づいて前記複数のダウンリンクキャリアについての前記制御情報を判断することと
を行うようにさらに構成された、Ｃ４２に記載の装置。
［Ｃ４４］
前記少なくとも１つのプロセッサが、
前記複数のダウンリンクキャリア中の少なくとも１つのダウンリンクキャリアについての周期フィードバック報告構成に基づいて、前記少なくとも１つのダウンリンクキャリアについての前記サブフレーム中で送るべき少なくとも１つの周期フィードバック報告を判断することと、
前記複数のダウンリンクキャリア中の１つまたは複数のダウンリンクキャリアについてのフィードバック要求に基づいて、前記１つまたは複数のダウンリンクキャリアについての前記サブフレーム中で送るべき１つまたは複数の非周期フィードバック報告を判断することと、
前記少なくとも１つの周期フィードバック報告と前記１つまたは複数の非周期フィードバック報告とに基づいて前記制御情報を判断することと
を行うようにさらに構成された、Ｃ４２に記載の装置。
［Ｃ４５］
前記少なくとも１つのプロセッサが、前記複数のダウンリンクキャリアの各々についての制御情報を別々に符号化するようにさらに構成された、Ｃ４２に記載の装置。
［Ｃ４６］
前記少なくとも１つのプロセッサが、
少なくとも１つの制御情報タイプの各々についての多重化された制御情報を取得するために、前記制御情報のタイプに基づいて前記複数のダウンリンクキャリアについての前記制御情報を多重化することと、
前記多重化された制御情報の各タイプをジョイント符号化することと
を行うようにさらに構成された、Ｃ４２に記載の装置。
［Ｃ４７］
前記少なくとも１つのプロセッサが、
前記複数のダウンリンクキャリアのすべてについての第１のタイプの制御情報をジョイント符号化することと、
前記複数のダウンリンクキャリアの各々についての第２のタイプの制御情報を別々に符号化することと
を行うようにさらに構成された、Ｃ４２に記載の装置。
［Ｃ４８］
前記少なくとも１つのプロセッサが、前記複数のダウンリンクキャリアについての前記制御情報を前記データチャネルの複数のレイヤにマッピングするようにさらに構成された、Ｃ４２に記載の装置。
［Ｃ４９］
少なくとも１つのコンピュータに、ユーザ機器（ＵＥ）において、アップリンクキャリア上でデータを送るべきサブフレームを判断させるためのコードと、
前記少なくとも１つのコンピュータに、前記サブフレーム中で送るべき複数のダウンリンクキャリアについての制御情報を判断させるためのコードと、
前記少なくとも１つのコンピュータに、前記複数のダウンリンクキャリアについての前記制御情報を、前記アップリンクキャリア上で送るべき前記データと多重化させるためのコードと、
前記少なくとも１つのコンピュータに、前記ＵＥが、前記サブフレーム中で前記アップリンクキャリア上のデータチャネル上で前記多重化された制御情報とデータとを送ることを行わせるためのコードと
を備える非一時的コンピュータ可読媒体
を備える、コンピュータプログラム製品。
［Ｃ５０］
サブフレーム中のアップリンクキャリアのデータチャネル上のデータ送信のためにユーザ機器（ＵＥ）をスケジュールすることと、
前記サブフレーム中で前記ＵＥから受信されるべき複数のダウンリンクキャリアについての制御情報を判断することと、
前記サブフレーム中で前記アップリンクキャリアの前記データチャネル上でデータと多重化された前記複数のダウンリンクキャリアについての前記制御情報の少なくとも一部分を受信することと、
前記データチャネルから前記複数のダウンリンクキャリアについての前記制御情報と前記データとを多重分離することと
を備える、ワイヤレス通信のための方法。
［Ｃ５１］
前記複数のダウンリンクキャリアについての複数のフィードバック報告を取得するために前記複数のダウンリンクキャリアについての前記制御情報を処理することであって、各フィードバック報告が異なるダウンリンクキャリアについての制御情報を備え、各ダウンリンクキャリアについての前記フィードバック報告が、前記ＵＥの周期フィードバック報告構成またはフィードバック要求に基づいてトリガされる、処理すること
をさらに備える、Ｃ５０に記載の方法。
［Ｃ５２］
前記複数のダウンリンクキャリアの各々についての制御情報を別々に復号することをさらに備える、Ｃ５０に記載の方法。
［Ｃ５３］
制御情報の少なくとも１つのタイプの各々について、前記複数のダウンリンクキャリアについての制御情報をジョイント復号すること
をさらに備える、Ｃ５０に記載の方法。
［Ｃ５４］
前記複数のダウンリンクキャリアの各々についての第１のタイプの制御情報を別々に復号することと、
前記複数のダウンリンクキャリアについての第２のタイプの制御情報をジョイント復号することと
をさらに備える、Ｃ５０に記載の方法。
［Ｃ５５］
前記データチャネルの複数のロケーションから前記複数のダウンリンクキャリアについての前記制御情報を取得することであって、各ダウンリンクキャリアについての制御情報が前記データチャネルの異なるロケーションから取得される、取得することをさらに備える、Ｃ５０に記載の方法。
［Ｃ５６］
前記データチャネルの複数のレイヤから前記複数のダウンリンクキャリアについての前記制御情報を取得すること
をさらに備える、Ｃ５０に記載の方法。
［Ｃ５７］
サブフレーム中のアップリンクキャリアのデータチャネル上のデータ送信のためにユーザ機器（ＵＥ）をスケジュールするための手段と、
前記サブフレーム中で前記ＵＥから受信されるべき複数のダウンリンクキャリアについての制御情報を判断するための手段と、
前記サブフレーム中で前記アップリンクキャリアの前記データチャネル上でデータと多重化された前記複数のダウンリンクキャリアについての前記制御情報の少なくとも一部分を受信するための手段と、
前記データチャネルから前記複数のダウンリンクキャリアについての前記制御情報と前記データとを多重分離するための手段と
を備える、ワイヤレス通信のための装置。
［Ｃ５８］
前記複数のダウンリンクキャリアについての複数のフィードバック報告を取得するために前記複数のダウンリンクキャリアについての前記制御情報を処理するための手段であって、各フィードバック報告が異なるダウンリンクキャリアについての制御情報を備え、各ダウンリンクキャリアについての前記フィードバック報告が、前記ＵＥの周期フィードバック報告構成または前記ダウンリンクキャリアについてのフィードバック要求に基づいてトリガされる、処理するための手段
をさらに備える、Ｃ５７に記載の装置。
［Ｃ５９］
前記複数のダウンリンクキャリアの各々についての制御情報を別々に復号するための手段
をさらに備える、Ｃ５７に記載の装置。
［Ｃ６０］
制御情報の少なくとも１つのタイプの各々について、前記複数のダウンリンクキャリアについての制御情報をジョイント復号するための手段
をさらに備える、Ｃ５７に記載の装置。
［Ｃ６１］
前記複数のダウンリンクキャリアの各々についての第１のタイプの制御情報を別々に復号するための手段と、
前記複数のダウンリンクキャリアについての第２のタイプの制御情報をジョイント復号するための手段と
をさらに備える、Ｃ５７に記載の装置。
［Ｃ６２］
サブフレーム中のアップリンクキャリアのデータチャネル上のデータ送信のためにユーザ機器（ＵＥ）をスケジュールすることと、
前記サブフレーム中で前記ＵＥから受信されるべき複数のダウンリンクキャリアについての制御情報を判断することと、
前記サブフレーム中で前記アップリンクキャリアの前記データチャネル上でデータと多重化された前記複数のダウンリンクキャリアについての前記制御情報の少なくとも一部分を受信することと、
前記データチャネルから前記複数のダウンリンクキャリアについての前記制御情報と前記データとを多重分離することと
を行うように構成された少なくとも１つのプロセッサと、
前記少なくとも１つのプロセッサに結合されたメモリと
を備える、ワイヤレス通信のための装置。
［Ｃ６３］
前記少なくとも１つのプロセッサは、前記複数のダウンリンクキャリアについての複数のフィードバック報告を取得するために前記複数のダウンリンクキャリアについての前記制御情報を処理することであって、各フィードバック報告が異なるダウンリンクキャリアについての制御情報を含み、各ダウンリンクキャリアについての前記フィードバック報告が、前記ＵＥの周期フィードバック報告構成またはフィードバック要求に基づいてトリガされる、処理すること
を行うようにさらに構成された、Ｃ６２に記載の装置。
［Ｃ６４］
前記少なくとも１つのプロセッサが、前記複数のダウンリンクキャリアの各々についての制御情報を別々に復号するように構成された、Ｃ６２に記載の装置。
［Ｃ６５］
前記少なくとも１つのプロセッサが、制御情報の少なくとも１つのタイプの各々について、前記複数のダウンリンクキャリアについての制御情報をジョイント復号するように構成された、Ｃ６２に記載の装置。
［Ｃ６６］
前記少なくとも１つのプロセッサが、
前記複数のダウンリンクキャリアの各々についての第１のタイプの制御情報を別々に復号することと、
前記複数のダウンリンクキャリアについての第２のタイプの制御情報をジョイント復号することと
を行うように構成された、Ｃ６２に記載の装置。
［Ｃ６７］
少なくとも１つのコンピュータに、サブフレーム中のアップリンクキャリアのデータチャネル上のデータ送信のためにユーザ機器（ＵＥ）をスケジュールさせるためのコードと、
前記少なくとも１つのコンピュータに、前記サブフレーム中で前記ＵＥから受信されるべき複数のダウンリンクキャリアについての制御情報を判断させるためのコードと、
前記少なくとも１つのコンピュータに、前記サブフレーム中で前記アップリンクキャリアの前記データチャネル上でデータと多重化された前記複数のダウンリンクキャリアについての前記制御情報の少なくとも一部分を受信させるためのコードと、
前記少なくとも１つのコンピュータに、前記データチャネルから前記複数のダウンリンクキャリアについての前記制御情報と前記データとを多重分離させるためのコードと
を備える非一時的コンピュータ可読媒体
を備える、コンピュータプログラム製品。
【図１】
0006038979.tif 000002
【図２】
0006038979.tif 000003
【図４】
0006038979.tif 000004
【図５Ａ】
0006038979.tif 000005
【図５Ｂ】
0006038979.tif 000006
【図５Ｃ】
0006038979.tif 000007
【図６Ａ】
0006038979.tif 000008
【図６Ｂ】
0006038979.tif 000009
【図７Ａ】
0006038979.tif 000010
【図７Ｂ】
0006038979.tif 000011
【図８Ａ】
0006038979.tif 000012
【図８Ｂ】
0006038979.tif 000013
【図９】
0006038979.tif 000014
【図１０】
0006038979.tif 000015
【図１１】
0006038979.tif 000016
【図１２】
0006038979.tif 000017
【図３】
0006038979.tif 000018